(57)【要約】  パルス・ベースの通信システムにおいて、送信装置は、通信媒体を介して受信装置に情報を伝えるために一連のパルスを生成してもよい。ある状況において、1つまたは複数の干渉源装置から生じる干渉は、パルス・エネルギーが通信媒体を通じて伝えられている間に、そのパルス・エネルギーを変える可能性がある。そのような干渉の影響を緩和するために、受信装置は、ある受信パルスをイレージャ（抹消）としてマークすることができる。このようにして、そのようなパルスは、受信器の復号オペレーションの際、無いものとして扱われることができる。【選択図】図3
2010541373.tif 000002
【特許請求の範囲】
【請求項１】
イレージャ検出の方法であって、
少なくとも１つのパルス信号を受信することと、
前記少なくとも１つのパルス信号の少なくとも１つの特徴を少なくとも１つの閾値と比較することと、および
前記比較に基づいて前記少なくとも1つのパルス信号を少なくとも１つのイレージャとして指定することと
を具備する方法。
【請求項２】
前記少なくとも１つのパルス信号の前記少なくとも１つの特徴が、以下のものからなるグループのうちの少なくとも１つに関係する、請求項１に記載の方法：
前記少なくとも１つのパルス信号の信号強度、
前記少なくとも１つのパルス信号の振幅、
前記少なくとも１つのパルス信号の位相、
前記少なくとも１つのパルス信号の周波数、および、
前記少なくとも１つのパルス信号の帯域幅。
【請求項３】
以前に受信したパルス信号の少なくとも１つの特徴に基づいて前記少なくとも１つの閾値を定義することをさらに具備する、請求項１に記載の方法。
【請求項４】
前記少なくとも１つの閾値が、以下のものを具備する、請求項３に記載の方法：
前記以前に受信したパルス信号の前記少なくとも１つの特徴の平均、
前記以前に受信したパルス信号の前記少なくとも１つの特徴の一定時間枠内の中間、
前記以前に受信したパルス信号の前記少なくとも１つの特徴の加重平均、または
前記以前に受信したパルス信号の前記少なくとも１つの特徴のメジアン。
【請求項５】
前記以前に受信したパルス信号の前記少なくとも１つの特徴が、以下のものからなるグループのうちの少なくとも１つに関係する、請求項３に記載の方法：
前記以前に受信したパルス信号の信号強度、
前記以前に受信したパルス信号の振幅、
前記以前に受信したパルス信号の位相、
前記以前に受信したパルス信号の周波数、および、
前記以前に受信したパルス信号の帯域幅。
【請求項６】
パケットの受信の成功に基づいて前記少なくとも１つの閾値を定義することをさらに具備する、請求項1に記載の方法。
【請求項７】
前記少なくとも１つの閾値を反復的に適合させることをさらに具備する、請求項１に記載の方法。
【請求項８】
前記比較が、前記少なくとも１つのパルス信号の前記少なくとも１つの特徴が前記少なくとも１つの閾値以上であるかどうか決定することを具備する、請求項１に記載の方法。
【請求項９】
前記比較が、前記少なくとも１つのパルス信号の前記少なくとも１つの特徴が前記少なくとも１つの閾値以下であるかどうか決定することを具備する、請求項１に記載の方法。
【請求項１０】
前記比較が、以下のものに基づいている、請求項１に記載の方法：
前記少なくとも１つのパルス信号の前記少なくとも１つの特徴の無限インパルス応答のフィルタリングされた値、または
前記少なくとも１つのパルス信号の前記少なくとも１つの特徴の有限インパルス応答のフィルタリングされた値。
【請求項１１】
前記少なくとも１つのイレージャが、畳み込み符号のためのビタビ決定メトリックスを具備する、請求項１に記載の方法。
【請求項１２】
前記受信した少なくとも１つのパルス信号を少なくとも１つのイレージャとして前記指定することが、他の少なくとも１つのパルス信号と前記少なくとも１つの閾値との少なくとも１つの以前の比較に基づいている、請求項1に記載の方法。
【請求項１３】
前記少なくとも１つのパルス信号が、少なくとも１つのパルス位置変調信号を具備する、請求項１に記載の方法。
【請求項１４】
前記比較が、前記少なくとも１つの閾値を、前記少なくとも１つのパルス位置変調信号について定義される少なくとも１つのパルス位置において検出されるエネルギーと比較することを具備する、請求項13に記載の方法。
【請求項１５】
前記少なくとも１つのパルス位置変調信号について定義された異なるパルス位置において検出されたエネルギーレベルを合計することをさらに具備する、請求項13に記載の方法であって、
前記比較が、前記合計されたエネルギーレベルを前記少なくとも１つの閾値と比較することを具備する方法。
【請求項１６】
前記少なくとも１つのパルス信号が、複数のパルス信号を具備する、請求項１に記載の方法。
【請求項１７】
前記パルス信号を少なくとも１つのイレージャとして前記指定することが、前記パルス信号の各々の少なくとも１つの特徴が前記少なくとも１つの閾値以上であるかどうかに基づいている、請求項16に記載の方法。
【請求項１８】
前記パルス信号を少なくとも１つのイレージャとして前記指定することが、前記パルス信号の各々の少なくとも１つの特徴が前記少なくとも１つの閾値以下であるかどうかに基づいている、請求項16に記載の方法。
【請求項１９】
前記比較が、前記パルス信号の前記少なくとも１つの特徴の合計を前記少なくとも１つの閾値と比較することを具備する、請求項16に記載の方法。
【請求項２０】
前記少なくとも１つのパルス信号が、少なくとも１つの超広帯域パルスを具備し、および
前記少なくとも１つの超広帯域パルスが、20％以上のオーダーの比帯域幅を持っているか、500MHｚ以上のオーダーの帯域幅を持っているか、または20％以上のオーダーの比帯域幅および500MHｚ以上のオーダーの帯域幅を持っている、請求項1に記載の方法。
【請求項２１】
イレージャ検出のための装置であって、
少なくとも１つのパルス信号を受信するように構成されている受信器と、および
前記少なくとも１つのパルス信号の少なくとも１つの特徴を少なくとも１つの閾値と比較するように構成され、かつ、前記比較に基づいて前記少なくとも１つのパルス信号を少なくとも１つのイレージャとして指定するようにさらに構成されているイレージャ検出器と
を具備する装置。
【請求項２２】
前記少なくとも１つのパルス信号の前記少なくとも１つの特徴が、以下のものからなるグループのうちの少なくとも１つに関係する、請求項21に記載の装置：
前記少なくとも１つのパルス信号の信号強度、
または前記少なくとも１つのパルス信号の振幅、
前記少なくとも１つのパルス信号の位相、
前記少なくとも１つのパルス信号の周波数、および、
前記少なくとも１つのパルス信号の帯域幅。
【請求項２３】
以前に受信したパルス信号の少なくとも１つの特徴に基づいて前記少なくとも１つの閾値を定義するように構成されている閾値生成器をさらに具備する、請求項21に記載の装置。
【請求項２４】
前記少なくとも１つの閾値が、以下のものを具備する、請求項23に記載の装置：
前記以前に受信したパルス信号の前記少なくとも１つの特徴の平均、
前記以前に受信したパルス信号の前記少なくとも１つの特徴の一定時間枠内の中間、
前記以前に受信したパルス信号の前記少なくとも１つの特徴の加重平均、または
前記以前に受信したパルス信号の前記少なくとも１つの特徴のメジアン。
【請求項２５】
前記以前に受信したパルス信号の前記少なくとも１つの特徴が、以下のものからなるグループのうちの少なくとも１つに関係する、請求項23に記載の装置：
前記以前に受信したパルス信号の信号強度、
前記以前に受信したパルス信号の振幅、
前記以前に受信したパルス信号の位相、
前記以前に受信したパルス信号の周波数、および、
前記以前に受信したパルス信号の帯域幅。
【請求項２６】
パケットの受信の成功に基づいて前記少なくとも１つの閾値を定義するように構成されている閾値生成器をさらに具備する、請求項21に記載の装置。
【請求項２７】
前記少なくとも１つの閾値を反復的に適合させるように構成されている閾値生成器をさらに具備する、請求項21に記載の装置。
【請求項２８】
前記比較が、前記少なくとも１つのパルス信号の前記少なくとも１つの特徴が前記少なくとも１つの閾値以上であるかどうか決定することを具備する、請求項21に記載の装置。
【請求項２９】
前記比較が、前記少なくとも１つのパルス信号の前記少なくとも１つの特徴が前記少なくとも１つの閾値以下であるかどうか決定することを具備する、請求項21に記載の装置。
【請求項３０】
前記比較が、以下のものに基づいている、請求項21に記載の装置：
前記少なくとも１つのパルス信号の前記少なくとも１つの特徴の無限インパルス応答のフィルタリングされた値、または、
前記少なくとも１つのパルス信号の前記少なくとも１つの特徴の有限インパルス応答のフィルタリングされた値。
【請求項３１】
前記少なくとも１つのイレージャが、畳み込み符号のためのビタビ決定メトリックスを具備する、請求項21に記載の装置。
【請求項３２】
前記受信した少なくとも１つのパルス信号を少なくとも１つのイレージャとして前記指定することが、他の少なくとも１つのパルス信号と前記少なくとも１つの閾値との少なくとも１つの以前の比較に基づいている、請求項21に記載の装置。
【請求項３３】
前記少なくとも１つのパルス信号が、少なくとも１つのパルス位置変調信号を具備する、請求項21に記載の装置。
【請求項３４】
前記比較が、前記少なくとも１つの閾値を、前記少なくとも１つのパルス位置変調信号のために定義される少なくとも１つのパルス位置において検出されるエネルギーと比較することを具備する、請求項33に記載の装置。
【請求項３５】
前記イレージャ検出器が、前記少なくとも１つのパルス位置変調信号について定義される異なるパルス位置において検出されるエネルギーレベルを合計するようにさらに構成されており、および
前記比較が、前記合計されたエネルギーレベルを前記少なくとも１つの閾値と比較することを具備する、
請求項33に記載の装置。
【請求項３６】
前記少なくとも１つのパルス信号が、複数のパルス信号を具備する、請求項21に記載の装置。
【請求項３７】
前記パルス信号を少なくとも１つのイレージャとして前記指定することが、前記パルス信号の各々の少なくとも１つの特徴が前記少なくとも１つの閾値以上であるかどうかに基づいている、請求項36に記載の装置。
【請求項３８】
前記パルス信号を少なくとも１つのイレージャとして前記指定することが、前記パルス信号の各々の少なくとも１つの特徴が前記少なくとも１つの閾値以下であるかどうかに基づいている、請求項36に記載の装置。
【請求項３９】
前記比較が、前記パルス信号の前記少なくとも１つの特徴の合計を前記少なくとも１つの閾値と比較することを具備する、請求項36に記載の装置。
【請求項４０】
前記少なくとも１つのパルス信号が、少なくとも１つの超広帯域パルスを含み、および
前記少なくとも１つの超広帯域パルスが、20％以上のオーダーの比帯域幅を持っているか、500MHｚ以上のオーダーの帯域幅を持っているか、または20％以上のオーダーの比帯域幅および500MHｚ以上のオーダーの帯域幅を持っている、
請求項21に記載の装置。
【請求項４１】
イレージャ検出のための装置であって、
少なくとも１つのパルス信号を受信するための手段と、
前記少なくとも１つのパルス信号の少なくとも１つの特徴を少なくとも１つの閾値と比較するための手段と、および
前記比較に基づいて前記少なくとも１つのパルス信号を少なくとも１つのイレージャとして指定するための手段と
を具備する装置。
【請求項４２】
前記少なくとも１つのパルス信号の前記少なくとも１つの特徴が、以下のものからなるグループのうちの少なくとも１つに関係する、請求項41に記載の装置：
前記少なくとも１つのパルス信号の信号強度、
前記少なくとも１つのパルス信号の振幅、
前記少なくとも１つのパルス信号の位相、
前記少なくとも１つのパルス信号の周波数、および
前記少なくとも１つのパルス信号の帯域幅。
【請求項４３】
以前に受信したパルス信号の少なくとも１つの特徴に基づいて前記少なくとも１つの閾値を定義するための手段をさらに具備する、請求項41に記載の装置。
【請求項４４】
前記少なくとも１つの閾値が、以下のものを具備する、請求項43に記載の装置：
前記以前に受信したパルス信号の前記少なくとも１つの特徴の平均、
前記以前に受信したパルス信号の前記少なくとも１つの特徴の一定時間枠内の中間、
前記以前に受信したパルス信号の前記少なくとも１つの特徴の加重平均、または
前記以前に受信したパルス信号の前記少なくとも１つの特徴のメジアン。
【請求項４５】
前記以前に受信したパルス信号の前記少なくとも１つの特徴が、以下のものからなるグループのうちの少なくとも１つに関係する、請求項43に記載の装置：
前記以前に受信したパルス信号の信号強度、
前記以前に受信したパルス信号の振幅、
前記以前に受信したパルス信号の位相、
前記以前に受信したパルス信号の周波数、および、
前記以前に受信したパルス信号の帯域幅。
【請求項４６】
パケットの受信の成功に基づいて前記少なくとも１つの閾値を定義するための手段をさらに具備する、請求項41に記載の装置。
【請求項４７】
前記少なくとも１つの閾値を反復的に適合させるための手段をさらに具備する、請求項41に記載の装置。
【請求項４８】
前記比較が、前記少なくとも１つのパルス信号の前記少なくとも１つの特徴が前記少なくとも１つの閾値以上であるかどうか決定することを具備する、請求項41に記載の装置。
【請求項４９】
前記比較が、前記少なくとも１つのパルス信号の前記少なくとも１つの特徴が前記少なくとも１つの閾値以下であるかどうか決定することを具備する、請求項41に記載の装置。
【請求項５０】
前記比較が、以下のものに基づいている請求項41に記載の装置：
前記少なくとも１つのパルス信号の前記少なくとも１つの特徴の無限インパルス応答のフィルタリングされた値、または、
前記少なくとも１つのパルス信号の前記少なくとも１つの特徴の有限インパルス応答のフィルタリングされた値。
【請求項５１】
前記少なくとも１つのイレージャが、畳み込み符号のためのビタビ決定メトリックスを具備する、請求項41に記載の装置。
【請求項５２】
前記受信した少なくとも１つのパルス信号を少なくとも１つのイレージャとして前記指定することが、他の少なくとも１つのパルス信号と前記少なくとも１つの閾値との少なくとも１つの以前の比較に基づいている、請求項41に記載の装置。
【請求項５３】
前記少なくとも１つのパルス信号が、少なくとも１つのパルス位置変調信号を具備する、請求項41に記載の装置。
【請求項５４】
前記比較が、前記少なくとも１つの閾値を、前記少なくとも１つのパルス位置変調信号のために定義される少なくとも１つのパルス位置において検出されるエネルギーと比較することを具備する、請求項53に記載の装置。
【請求項５５】
前記少なくとも１つのパルス位置変調信号について定義された異なるパルス位置において検出されるエネルギーレベルを合計するための手段をさらに具備する、請求項53に記載の装置であって、
前記比較が、前記合計されたエネルギーレベルを前記少なくとも１つの閾値と比較することを具備する、請求項53に記載の装置。
【請求項５６】
前記少なくとも１つのパルス信号が、複数のパルス信号を具備する、請求項41に記載の装置。
【請求項５７】
前記パルス信号を少なくとも１つのイレージャとして前記指定することが、前記パルス信号の各々の少なくとも１つの特徴が前記少なくとも１つの閾値以上であるかどうかに基づいている、請求項56に記載の装置。
【請求項５８】
前記パルス信号を少なくとも１つのイレージャとして前記指定することが、前記パルス信号の各々の少なくとも１つの特徴が前記少なくとも１つの閾値以下であるかどうかに基づいている、請求項56に記載の装置。
【請求項５９】
前記比較が、前記パルス信号の前記少なくとも１つの特徴の合計を前記少なくとも１つの閾値と比較することを具備する、請求項56に記載の装置。
【請求項６０】
前記少なくとも１つのパルス信号が、少なくとも１つの超広帯域パルスを具備し、および
前記少なくとも１つの超広帯域パルスが、20％以上のオーダーの比帯域幅を持っているか、500MHｚ以上のオーダーの帯域幅を持っているか、または20％以上のオーダーの比帯域幅および500MHｚ以上のオーダーの帯域幅を持っている、
請求項41に記載の装置。
【請求項６１】
少なくとも１つのパルス信号を受信することと、
前記少なくとも１つのパルス信号の少なくとも１つの特徴を少なくとも１つの閾値と比較することと、および
前記比較に基づいて前記少なくとも１つのパルス信号を少なくとも１つのイレージャとして指定することと
を少なくとも１つのコンピュータによって実行可能とするコードを具備するコンピュータ可読媒体を具備するイレージャ検出のためのコンピュータ・プログラム・プロダクト。
【請求項６２】
少なくとも１つのパルス信号を受信するように構成されている受信器と、
前記少なくとも１つのパルス信号の少なくとも１つの特徴を少なくとも１つの閾値と比較するように構成され、かつ前記比較に基づいて前記少なくとも１つのパルス信号を前記少なくとも１つのイレージャとして指定するようにさらに構成されているイレージャ検出器と、および
前記受信器を介して受信されたデータに基づいて音声出力を提供するように構成されている変換器と
を具備するヘッドセット。
【請求項６３】
少なくとも１つのパルス信号を受信するように構成されている受信器と、
前記少なくとも１つのパルス信号の少なくとも１つの特徴を少なくとも１つの閾値と比較するように構成され、かつ前記比較に基づいて前記少なくとも１つのパルス信号を前記少なくとも１つのイレージャとして指定するようにさらに構成されているイレージャ検出器と、および
前記受信器を介して受信されたデータに基づいて表示を提供するように構成されているユーザー・インターフェースと
を具備する時計。
【請求項６４】
ワイヤレス通信用の感知装置であって、
アンテナと、
前記アンテナを介して少なくとも１つのパルス信号を受信するように構成されている受信器と、
前記少なくとも１つのパルス信号の少なくとも１つの特徴を少なくとも１つの閾値と比較するように構成され、かつ前記比較に基づいて前記少なくとも１つのパルス信号を前記少なくとも１つのイレージャとして指定するようにさらに構成されているイレージャ検出器と、および
前記アンテナによって送信されるべきデータを提供するように構成されている感知器と
を具備する装置。
【発明の詳細な説明】
【技術分野】
【０００１】
本件出願は、一般にワイヤレス通信に関し、より詳細にはパルス・ベースのワイヤレス通信のための干渉緩和に関係するが、それのみに関係するというわけではない。
【背景技術】
【０００２】
ワイヤレス通信システムにおいて、送信装置は、データを受信装置に送信するために、そのデータを符号化し、所与の周波数帯域の無線周波数（RF）信号を生成し、そのことによって、RF信号が、符号化されたデータを適切な通信媒体の上で受信装置に搬送する。受信装置は、送信されたデータを復元しようとして、指定の周波数帯域で受信したすべてのRF信号を処理する。
【０００３】
実際には、受信装置が受信信号からデータを抽出する正確さは、関連する通信媒体上の干渉によって悪影響を及ぼされる可能性がある。例えば、受信装置の近くにある干渉源装置は、送信装置および受信装置によって使用されるＲＦ帯域の中に信号を生成するおそれがある。この場合、受信装置は、実際には送信装置によって送信される信号と干渉源装置によって送信される信号との結合物である信号を受信する可能性がある。結論として、受信装置は、なんらかの受信信号から、送信装置によって送信されたデータを有効に抽出するための干渉緩和方式を実装することを必要とするといえる。
【発明の概要】
【０００４】
本件発明の例示的態様の概要は、以下のとおりである。本件明細書における用語的態様へのなんらかの言及は、本件発明の1つまたは複数の態様を指すものであってよいということが理解されるべきである。
【０００５】
本件発明は、ある態様において、パルス・ベースの通信に関係する。ここでは、ワイヤレス通信媒体を介して送信装置から受信装置へ情報を伝えるために、一連のパルスが使用されてもよい。ある態様において、本件通信は、情報を伝えるために比較的狭い（時間的に「狭い」ということ）パルスを使用する超広帯域通信であってもよい。
【０００６】
実際には、他のインパルス・ベースの通信装置または強力な狭帯域干渉源からの干渉と、これらの干渉源およびその他の干渉源（例えば、インパルス・ベースではない広帯域干渉源）によって生成される高調波信号とが、送信されるパルス・エネルギーが通信媒体を通って伝わっている間に、そのパルス・エネルギーを事実上変更することがある。ある場合において、この干渉は、受信装置における復号の失敗を引き起こすほど顕著なものである可能性がある。
【０００７】
本件発明は、ある態様において、この干渉を緩和するために、イレージャ（erasure）を用いることに関係がある。ここで、イレージャは、復号プロセス（例えば、畳み込み符号ベースのオペレーション）のための決定メトリックスを具備するものであってもよい。例えば、受信器は、当該受信器が受信するなんらかの異常値パルスをイレージャとしてマークし、そうすることによって、これらのパルスを復号プロセスの際に無いものとして扱うようにしてもよい。
【０００８】
本件発明は、ある態様において、閾値を定義することと、受信パルスの１つまたは複数の特徴に基づいてイレージャを指定することとに関係する。例えば、ある態様において、受信パルスをイレージャとしてマークするかどうか決定するために、その受信パルスの少なくとも１つの特徴が少なくとも１つの閾値と比較される。さらに、ある態様において、以前に受信した複数のパルスの少なくとも1つの特徴に基づいて少なくとも１つの閾値が定義される。
【図面の簡単な説明】
【０００９】
本件発明の上記のおよび他の特色、態様および特長は、以下の詳細な説明、別添の特許請求の範囲、および添付の図面に関連して考察されるとき、より十分に理解されるであろう。
【図１】図１は、イレージャ・ベースの干渉緩和を提供するように適合させられている通信システムのいくつかの例示的態様の簡略ブロック図である。
【図２】図２は、イレージャ・ベースの干渉緩和を提供するために実行されてもよいオペレーションのいくつかの例示的態様の流れ図である。
【図３】図３は、受信器のいくつかの例示的態様の簡略ブロック図である。
【図４】図４は、イレージャを検出することに関連するコンポーネントのいくつかの例示的態様の簡略ブロック図である。
【図５】図５は、イレージャの検出のために1つまたは複数の閾値を定義するために実行されてもよいオペレーションのいくつかの例示的態様の流れ図である。
【図６】図６は、少なくとも１つのパルスを少なくとも１つのイレージャとして指定するために実行されてもよいオペレーションのいくつかの例示的態様の流れ図である。
【図７Ａ】図7Aを含む図７は、いくつかの例示的パルス位置変調波形の簡略ブロック図である。
【図７Ｂ】図7Bを含む図７は、いくつかの例示的パルス位置変調波形の簡略ブロック図である。
【図８】図8は、少なくとも１つのパルス位置変調パルスを少なくとも１つのイレージャとして指定するために実行されてもよいオペレーションのいくつかの例示的態様の流れ図である。
【図９】図９は、通信コンポーネントのいくつかの例示的態様の簡略ブロック図である。
【図１０】図10は、本件明細書において教示されているようなイレージャ検出を提供するように構成されている装置のいくつかの例示的態様の簡略ブロック図である。
【００１０】
通常の慣例に準拠すれば、図において例示されている様々な特徴は、必ずしもスケールに応じて描かれなくてもよい。したがって、前記様々な特徴の寸法は、明瞭さのために適当に拡張されているかもしれないし、縮小されているかもしれない。さらに、いくつかの図面は、明瞭さのために単純化されているかもしれない。したがって、図面は、与えられた装置（例えば、デバイス）または方法のコンポーネントをすべて描き切っているわけではないかもしれない。最後に、明細書および図面全体を通して、同様の特徴を記すために同様の参照数字が使用されるかもしれない。
【発明の詳細な説明】
【００１１】
本件発明の様々な態様が以下に説明される。本件明細書における教示が様々な形式で具体化されうること、および本件明細書において開示されるいかなる特定の構造、機能またはその両方も代表例にすぎないということは、明白であるはずである。本件明細書における教示に基づいて、当業者は、本件明細書において開示されているある態様がどの他の態様とも独立的に実装可能であること、およびこれらの態様のうちの2つまたはそれ以上のものが様々な方法で組み合わせ可能であることを認識するはずである。例えば、本件明細書において記述されている態様のうちのなんらかの数の態様を用いることによって、装置が実装されてもよく、また方法が実行されてもよい。さらに、本件明細書において記述されている１つまたは複数の態様に加えて、またはそれらのものに代えて、他の構造、機能またはその両方を用いることによって、前記装置が実装されてもよく、また前記方法が実行されてもよい。さらに、ある態様は、クレームの少なくとも１つの要素を具備するものであってもよい。上記のものの一例として、ある態様において、イレージャ検出方法は、受信パルス信号の特徴を閾値と比較することと、その比較に基づいてパルス信号をイレージャとして指定することとを含むものであってもよい。さらに、ある態様において、そのようなイレージャ検出方法は、以前に受信したパルス信号の特徴に基づいて閾値を定義することを含むものであってもよい。
【００１２】
図１は、ワイヤレス送信装置102がワイヤレス受信装置104にデータを送信するワイヤレス通信システム100の例示的態様を示している。図において、「送信装置」および「受信装置」という表示が使用されているのは、ある装置から他の装置へのデータフローの一例を示すためである。装置102および104の各々がデータを送信することもできるし、受信することもできるということが認識されるべきである。
【００１３】
ある態様において、システム100は、装置102が装置104にデータを伝えるために一連のパルスを生成するパルス・ベースの通信システム（例えば、インパルス無線通信システム）を具備している。例えば、システム100は、比較的狭いパルスを使用して情報が伝えられる超広帯域通信技術を利用することができる。ある実装において、そのようなパルスは、数ナノ秒またはそれ未満のオーダー（例えば、100ピコ秒またはそれ未満）のパルス幅を持っていてもよい。
【００１４】
図１は、パルス・ベースの通信を円滑化するために使用されてもよい装置102および104のいくつかのコンポーネントを例示している。装置102のデータ源106は、装置104に送信されるべきデータを提供（例えば、生成）する。データ源106は、例えば、符号化データのストリームを生成することに関係する機能を提供してもよい。パルス送信器108は、データ源106からのデータに基づいて一連のパルスを生成する。ある実装において、比較的低い電力のオペレーションをスムーズに実行するために、および与えられたチャネル上での（例えば、与えられた周波数帯上での）マルチパルストリームの同時送信をサポートするために、比較的低いデューティサイクルのパルスが生成されてもよい。例えば、ある実装において、送信パルスは、100ナノ秒から10マイクロ秒のオーダーのパルス反復間隔を持っていてもよい。上記の例は単なる代表例であって、与えられたパルス・ベースのシステムは、異なるパルス幅および／またはパルス反復間隔を採用してもよいことが認識されるべきである。
【００１５】
装置104は、送信パルスを受信するためのコンポーネントと、受信パルスを処理して、パルスによって運ばれるデータを抽出するためのコンポーネントとを含んでいる。例えば、後でより詳細に論じられるように、パルス受信器１10は、送信パルスを受信するために、指定された通信チャンネルをモニターしてもよい。本件明細書における教示に準拠して、イレージャ・プロセッサ112は、次に、受信したパルス信号を処理し、それらの信号のうちの1つまたは複数の信号をイレージャとしてマークするかどうかを決定してもよい。信号プロセッサ114は、受信したパルス信号から、装置102によって提供されるオリジナル・データを復元するために、イレージャ・プロセッサ112によって提供されるなんらかのイレージャ表示といっしょに受信パルス信号を処理する。後でより詳細に論じられるように、信号プロセッサ114は、例えば、オリジナルのデータを復元するために、復号および決定のオペレーションを実行することができる。
【００１６】
本件明細書において教示されているような通信システムは、なんらかの適当な数のワイヤレス装置を採用してもよく、かつそのワイヤレス装置は、なんらかの適切な方法で通信をするものであってもよい。例えば、ある実装において、ワイヤレス装置（例えば、装置102および104）は、ピア・ツー・ピアの方法で通信をするものであってよい。ある実装において、ワイヤレス装置は、ユニキャスト、マルチキャストおよびブロードキャスト通信のうちの1つまたは複数をサポートするものであってもよい。ある実装において、ワイヤレス装置は、中央制御装置を使用することを通じて通信をするものであってもよい。
【００１７】
装置104のような受信装置の例示的オペレーションは、図２の流れ図と、図３に例示されているような受信パス300（例えば、装置104の）の例示的コンポーネントとに関連して、より詳細に説明されるであろう。便宜上、図２のオペレーション（または本件明細書において議論または教示される他のなんらかのオペレーション）は、特定のコンポーネント（例えば、システム100および／または受信パス300のコンポーネント）によって実行されるものとして説明されるかもしれない。しかしながら、これらのオペレーションは、他のタイプのコンポーネントによって実行されてもよく、また異なる数のコンポーネントを使用して実行されてもよいことが認識されるべきである。本件明細書において説明される1つまたは複数のオペレーションは、所与の実装において採用可能であることも認識されるべきである。
【００１８】
図2のブロック202によって表わされているように、イレージャ・プロセッサ112は、イレージャ検出オペレーションのために1つまたは複数の閾値を定義してもよい。イレージャ検出閾値は、様々な基準に基づくものであってもよい。例えば、図５に関連して後で論じられるように、ある実装において、閾値は、1つまたは複数の受信パルスの1つまたは複数の特徴に基づくものであってもよい。例えば、ある実装において、閾値レベルは、成功裏に受信された以前のパケットに関連するエネルギーレベルに基づくものであってもよい。ある実装において、そのような閾値は、時間の推移とともにダイナミックに適合させられるものであってよく、他方、他の実装において、静的な（例えば、あらかじめ定められた）閾値が使用されてもよい。前者の場合の例として、最近受信されたパルス信号に関連する受信信号強度に閾値が対応するように、閾値が反復的に適合させられてもよい。このようにして、閾値は、変化する条件（例えば、装置102と104の間の相対的な距離の変化）を補償するように自動的に調整されるものであってもよい。
【００１９】
図2のブロック204によって表わされているように、ある時点において、パルス受信器110は、1つまたは複数のパルス信号を受信する。上で言及されたように、パルス受信器110は、パルス・エネルギーについて、ワイヤレス通信リンク（例えば、超広帯域通信チャンネル）をモニターするように構成されてもよい。
【００２０】
図3に関し、ある実装において、非コヒーレント受信器が、受信信号エネルギーをフィルタリングし、フィルタリングされた信号エネルギーを２乗し、そしてその2乗された信号エネルギーを積分し、こうしてパルスを検出するようにしてもよい。この目的のために、パルス受信器110は、帯域通過フィルタ（BPF）302（例えば、増幅器を含む）、2乗実行回路304および積分器306を具備するものであってもよい。このようにして、各々の受信パルスについて、積分器306は、そのパルスに関連するエネルギーレベルを表わす出力信号を提供することができる。このエネルギーレベルが決定されると、積分器306は、各々の後続の受信パルスについて同様の測定を行なうためにリセットされてもよい。
【００２１】
図2のブロック206によって表わされているように、イレージャ・プロセッサ112（例えば、図３のイレージャ処理コンポーネント312）は、少なくとも１つの受信パルス信号がイレージャとしてマークされるべきかどうかを決定するものであってもよい。例えば、ある実装において、コンポーネント312は、1つまたは複数のパルスが異常値である（例えば、指定された閾値または範囲の外側に在るという特徴を有している）かどうかを決定することができる異常値フィルタであってもよい。ある態様において、異常値フィルタ312は、与えられたパルス信号の１つまたは複数の特徴が当該１つまたは複数の特徴の期待値から実質的に逸脱しているかどうかを決定することを円滑にするなんらかの適切な機能性を提供するものであってもよい。例えば、図３において、異常値フィルタ312は、積分器306によって提供されるエネルギーレベルに基づいて決定を行なってもよい。ある実装において、異常値フィルタ312は、例えば、平均、一定時間枠内の中間（windowed mead）、加重平均、メジアン、無限インパルス応答、有限インパルス応答、または1つまたは複数の受信パルス信号の他のなんらかの適切な関数に関係する機能性を提供するものであってもよい。図６に関連して後でより詳細に説明されるように、ある実装において、イレージャ・プロセッサ112は、少なくとも１つのパルス信号の少なくとも１つの特徴を少なくとも１つの閾値と比較してもよい。
【００２２】
ブロック208によって表わされているように、必要に応じて、イレージャ・プロセッサ112は、ブロック206の決定に基づいて少なくとも１つのパルス信号を少なくとも１つのイレージャとして指定するだろう。例えば、受信パルスのエネルギーまたは振幅が指定の閾値を越える場合、イレージャ・プロセッサ112（例えば、異常値フィルタ312）は、受信パルスに関連するイレージャ決定表示を生成することができる。
【００２３】
ブロック210によって表わされているように、信号プロセッサ114は、ブロック208で生成されるなんらかのイレージャ決定を考慮に入れて、関連するデータを抽出するために受信パルス信号を処理することができる。例えば、図３において、信号プロセッサ114のチャネル復号器コンポーネント308および決定コンポーネント310は、与えられた1つまたは複数のパルスによって表わされる1つまたは複数のデータ値を決定するために使用される復号器確認メトリックス（例えば、畳み込み符号のためのビタビ決定メトリックス）を計算することができる。したがって、イレージャ処理コンポーネント312によって提供されるイレージャ情報は、畳み込み符号のための決定メトリックスであってもよい。したがって、これらのオペレーションと協働して、信号プロセッサ114は、イレージャとしてマークされたなんらかのパルスを無視することができる。ここで、適切なイレージャ符号を使用することにより、システム100は、パルスがどのような頻度でイレージャとしてマークされる場合でも、ハイレベルのパフォーマンスを維持することができるということが認識されるべきである。
【００２４】
その結果、本件明細書において教示されるイレージャ方式を使用するシステムは、そうでなければ復号プロセスに悪影響を及ぼすおそれのある干渉起因パルス歪み問題のうちの少なくともいくぶんかを回避することができる。一例として、2進パルス位置変調方式において、受信器決定メトリックスは、各パルス位置において検出されたエネルギーの間の差異に基づくものであってもよい。例えば、E1とE0がそれぞれ「1」と「0」に対応する位置において検出されたエネルギーを表わすと仮定すると、復号器／決定コンポーネントは、E1-E0を用いることによって復号器確認メトリックスを計算することができる。しかしながら、これらの位置の間に顕著な干渉があると仮定すると、E1−E0の値が、正確な信頼レベルを反映しないおそれがある（例えば、干渉が「ビット・フリップ」を起こす可能性がある）。同様に、オン／オフ・キーイング変調方式において、干渉が起きると、パルスが送信されなかった時（例えば、「0」の値に対応する時）にパルスを検出するという結果になる可能性がある。実際のところ、上に説明したような干渉は、決定／復号器コンポーネントのパフォーマンスを著しく低下させてしまう可能性がある。
【００２５】
対照的に、本件明細書における教示に準拠すると、そのようなパフォーマンスの低下は、イレージャとして重要な干渉を有するパルスをイレージャとしてマークすることによって少なくともある程度までは緩和することができる。前述のように、パルス・ベースの通信においてイレージャをマークする１つの方法は、E1および／またはE０の値が異常値であるかどうか決定することである。図３の例において、異常値フィルタ312は、検出されたエネルギーの値E1およびE0を追跡し、これらの値を１つまたは複数の異常値と比較し、そのことによってこれらのエネルギーレベルが指定の範囲の外にあるかどうか決定することができる。例えば、E1かE0のいずれか１つがある閾値以上である場合、またはE1およびE0の両方がある閾値以上である場合、異常値フィルタ312は、イレージャをマークしてもよい。さらに、前述のように、イレージャ・プロセッサ112（図１）が、範囲外部の受信パルスがイレージャとしてマークされるように当該範囲をダイナミックに調節してもよい。このようにして、そのようなイレージャ・ベースの干渉緩和方式は、通信システム100における変動する条件（例えば、受信信号レベルにおける変動）に対して有効に適応することができる。
【００２６】
以上述べたことを念頭において、本件明細書における教示と協働して使用されてもよいコンポーネントおよび/または実行されてもよいオペレーションに関係するさらなる詳細が、図４の装置400（例えば、イレージャ・プロセッサ112と同様のもの）および図５、6および8の流れ図とともに論じられるであろう。再び、以下に説明するコンポーネントおよびオペレーションは、例示目的で提供されるものであって、本件明細書における教示が他のコンポーネントおよびオペレーションを使用して実装することも可能であることが理解されるべきである。
【００２７】
最初に図４を参照し、装置400は、イレージャ検出器402および閾値生成器404を具備している。イレージャ検出器402は、受信した信号（例えば、パルス）を処理し、当該受信信号がイレージャとしてマークされるかどうかに関する表示を復号器または他のなんらかの適切なコンポーネント（図４に図示されていない）のために提供する。閾値生成器404は、受信信号を処理し、イレージャ検出器402によって使用される1つまたは複数の閾値（以下において便宜上「閾値406」という）を生成する。
【００２８】
図５の流れ図は、閾値生成器404によって実行されてもよいいくつかのオペレーションの例を示している。ブロック502によって表わされているように、閾値生成器404は、閾値406を定義する（例えば、更新する）かどうか決定する。例えば、いくつかの実装において、閾値生成器404は、受信パルス信号を規則的に（例えば、周期的に）処理し、現在の閾値が、現在受信されているパルス信号の正常な特徴（例えば、信号強度、振幅、位相、周波数または帯域幅のうちの1つまたは複数）を正確に反映していることを確かめるものであってもよい。
【００２９】
したがって、ブロック504において、装置400によって受信される（例えば、パルス受信器110によって受信される）1つまたは複数のパルス信号が、閾値生成器404に提供される。ある実装において、閾値生成器404は、以下で論じられるように、ある一定の期間にわたるいくつかのパルス信号を得る。
【００３０】
ブロック506において、信号プロセッサ408は、受信したパルス信号を処理し、当該パルス信号に関係する1つまたは複数の特徴を導出する。例えば、ある実装において、信号プロセッサ408は、図3に関連して前述されたように、受信したパルス信号のエネルギーレベルを検出するものであってもよい。ある実装において、信号プロセッサ408は、受信パルス信号の振幅レベル、または受信パルス信号の受信信号強度に関係する他のなんらかの表示を検出するものであってもよい。
【００３１】
信号プロセッサ408は、受信パルス信号に関係する所望の特徴を導出するために様々なオペレーションを実行するものであってもよい。ある実装において、信号プロセッサ408は、受信パルス信号の少なくとも１つの特徴の無限インパルス応答フィルタ値を生成するものであってもよい。ある実装において、信号プロセッサ408は、受信パルス信号の少なくとも１つの特徴の有限インパルス応答フィルタ値を生成するものであってもよい。
【００３２】
ある実装において、信号プロセッサ408は、閾値406を生成するために、ある時間にわたる複数の受信パルス信号に関連する情報410を得るものであってもよい。例えば、信号プロセッサ408は、いくつかのパルスまたはパルス位置に関連する信号情報を合計するものであってもよい。ある実装において、信号プロセッサ408は、平均値、中間値（例えば、一定時間枠内の中間または加重平均）、あるいは複数の受信パルス信号の少なくとも１つの特徴のメジアン値を決定するものであってもよい。
【００３３】
ブロック508において、閾値生成器404は、1つまたは複数の受信パケットに関係する情報に基づいて閾値406をオプション的に定義するものであってもよい。例えば、ある実装において、閾値生成器404は、成功裡に受信したパケットに関連するパルスの少なくとも１つの特徴（例えば、信号強度、振幅、位相、周波数または帯域幅のうちの1つまたは複数）に基づいて閾値406を生成するものであってもよい。言いかえれば、閾値生成器404は、それらのパルスから導出されるパケットに関係する情報に受信パルス情報を関連させるものであってもよい。この目的のために、閾値生成器404は、関連するパケットが成功裡に受信されたかどうかを示す別のコンポーネント（例えば、信号プロセッサ114）からある表示を受信するものであってもよい。このようにして、閾値生成器404は、信頼できるパルス情報（例えば、成功裡に受信したパケットに関連する情報）に基づいて閾値406を生成する（以下において論じるブロック510において）ものであってもよい。逆に、閾値生成器404は、比較的信頼できないパルス情報（例えば、受信に成功しなかったパケットに関連する情報）を廃棄するものであってもよい。
【００３４】
ブロック510において、閾値生成器404は、前述のオペレーションのうちの1つまたは複数に基づいて閾値406を定義する（例えば、生成する）。ある場合には、これは、新しく受信したパルス信号情報に基づいて閾値406を更新することを含むものであってもよい。例えば、受信パルスの信号強度が増加した場合、閾値406の値を大きくしてもよい。ブロック502に戻る矢印によって示唆されているように、要望に応じ、閾値406をダイナミックに更新すべく、図５のオペレーションを反復することもできる。
【００３５】
上で論じたように、閾値406は、少なくとも１つの以前に受信したパルス信号の少なくとも１つの特徴に基づくものであってもよい。例えば、閾値406は、エネルギーレベル、振幅、受信信号強度、位相、周波数、帯域幅、または他のなんらかの適切な特徴のうちの1つまたは複数に関係するものであってもよい。さらに、閾値は、特徴のなんらかの関数（例えば、平均、中間、メジアンなど）を具備する、もしくはこれらの関数に関係するものであってもよい。
【００３６】
閾値406は、様々な形式のものであってもよい。例えば、ある実装において、閾値406は、ある受信パルス信号のある特徴に関する上限（例えば、許容マージンを含む）に関連する上側の閾値を具備するものであってもよい。ある実装において、閾値406は、ある受信パルス信号のある特徴に関する下限（例えば、許容マージンを含む）に関連する下側の閾値を具備するものであってもよい。ある実装において、閾値406は、上限および下限の両方を具備するものであってもよい。例えば、閾値406は、パルス関連情報についての許容値の範囲を定義するものであってもよい。
【００３７】
図６を参照し、イレージャ検出器402のいくつかのオペレーションの例を次に説明する。ブロック602において、装置400によって受信された（例えば、パルス受信器110によって受信された）1つまたは複数のパルス信号が、イレージャ検出器402に提供される。ある態様において、イレージャ決定は、単一のパルス信号、多数のパルス信号、予期されているパルス位置（例えば、時間上の位置）に関連するエネルギー、多数のパルス位置に関連するエネルギー、または他のなんらかの適切な信号（単数または複数）に関連する情報を受信することに基づくものであってもよい。便宜上、以下の議論は、受信した１つのパルス信号を１つのイレージャとしてマークするべきかどうか決定することについて言及する。しかしながら、以下においてより詳細に論じられるように、これらのオペレーションは、1つまたは複数の信号情報（例えば、パルス）を1つまたは複数のイレージャとして指定することに関係するものであってもよいということが認識されるべきである。
【００３８】
ブロック604において、信号プロセッサ412は、受信したパルス信号を処理し、当該パルス信号に関係する1つまたは複数の特徴を導出する。例えば、ある実装において、信号プロセッサ412は、図３に関連して前述されたような受信パルス信号のエネルギーレベル、受信信号の振幅レベル、または受信信号の強度に関係する他のなんらかの表示を検出するものであってもよい。
【００３９】
同様にして、図５に関連して前述されたように、信号プロセッサ412は、受信パルス信号の1つまたは複数の特徴を得るために、様々なオペレーションを行なってもよい。例えば、信号プロセッサ408は、受信パルス信号の少なくとも１つの特徴の無限／有限インパルス応答フィルタ値を生成するものであってもよい。ある実装において、信号プロセッサ408は、合計値、平均、中間値（例えば、一定時間枠内の中間または加重平均）、または1つまたは複数のパルスあるいは1つまたは複数のパルス位置（例えば、指定のパルス位置において検出されたエネルギー）に関連するメジアン値を得るものであってもよい。
【００４０】
ブロック606によって表わされているように、ある実装において、イレージャ検出器402は、現在の受信パルスをイレージャとしてマークすべきかどうか決定する際に以前のイレージャ検出に関連する情報414を考慮に入れるものであってもよい。例えば、ある実装において、あるパルスをイレージャとしてマークすべきかどうかについての決定は、閾値406と受信パルスとの以前の比較の結果に基づくものであってもよい。ここで、閾値生成器404が、閾値406を初期定義するための情報を得ている最中である場合、イレージャ検出器402は、イレージャをチェックしないことに決めてもよい。同様に、一群のパルスの中の他のパルスの大多数がイレージャとして指定されない場合（例えば、他のパルスが異常値閾値を越えない場合）、閾値生成器404は、受信パルスをイレージャとしてマークしないことに決めてもよい。逆に、閾値406がいったん適切に定義されたら、イレージャ検出器402は、イレージャを常にチェックすることを選択し、後述の比較オペレーションに失敗するパルス（例えば、パルスが異常値閾値を越える）をすべてイレージャとしてマークすることができる。
【００４１】
ブロック608によって表わされているように、イレージャ検出器402がこの時点においてイレージャをチェックしていない場合またはパルスをイレージャとしてマークしていない場合、受信パルス信号は、通常の方法で処理される（例えば、信号プロセッサ114によって復号される）ことができる。ある時点において、オペレーション・フローは、ブロック602に戻ってよく、それによって、別のパルスについて、図６のイレージャ検出関連オペレーションが実行されることができる。
【００４２】
イレージャ検出器402がブロック608においてイレージャをチェックしている場合、比較器416は、受信パルス信号の特徴を閾値406と比較してもよい（ブロック610）。前述したように、この比較は、前記特徴（例えば、エネルギーレベル、振幅、受信信号強度など）が閾値以上であるか、あるいは閾値以下であるか、もしくは２つの閾値によって定義される範囲の内にある（すなわち、包含的または排他的に範囲の内にある）かどうか決定することを含むものであってもよい。さらに、ブロック606に関連して前述されたように、現在の比較オペレーションに関係する情報が、後続の比較オペレーションの際に使用されるように、以前の比較の情報414に加えられてもよい。
【００４３】
ブロック612によって表わされているように、ブロック610における比較テストが満たされない（例えば、受信エネルギーレベルが閾値406を越えない）場合、受信パルス信号は、通常の方法で処理され（例えば、信号プロセッサ114によって復号され）てもよい。オペレーションのフローは、あるポイントにおいてブロック602に戻ってよく、それによって、別のパルスについて、図６のイレージャ検出関連オペレーションが実行されることができる。
【００４４】
ブロック612において比較テストが満たされる（例えば、受信パルスが異常値である）と、イレージャ表示器418は、そのパルスをイレージャとして指定してもよい（ブロック614）。前述したように、イレージャ表示器418は、次に、復号器または他のなんらかの適切なコンポーネントにイレージャ表示を供給してもよい。オペレーションのフローは、ある時点においてブロック602に戻ってよく、それによって、別のパルスについて、図６のイレージャ検出関連オペレーションが実行されることができる。
【００４５】
少なくとも１つのパルス信号を少なくとも１つのイレージャとしてマークするプロセスは、様々な形式のものであってもよい。例えば、ある実装において、与えられた１つのパルス信号を閾値と比較し、そのパルスをイレージャとしてマークするべきかどうか決定するものであってもよい。ある実装において、1セットのパルス信号のいずれか１つが閾値と比較され、そのことによって、そのパルスセットをイレージャとしてマークするべきかどうか決定してもよい。ある実装において、2つ以上のパルス信号の組み合わせが閾値と比較され、そのことによって、それらのパルス信号をイレージャとしてマークするべきかどうか決定してもよい。例えば、パルスの特徴（例えば、各パルスのエネルギーレベル）がいっしょにされて、その結果としての合計が閾値と比較されてもよい。
【００４６】
ある実装において、イレージャ検出は、1つまたは複数の定義された期間において感知されるエネルギーに基づくものであってもよい。例えば、通信システムは、あるワイヤレス装置から別のワイヤレス装置へ情報を伝えるためにパルス位置変調を使用してもよい。図7Aは、2進パルス位置変調方式のためのパルス波形の一例を示している。ここで、第1のパルス位置702（例えば、100ナノ秒の期間）に現れるパルスは、2進数の「1」を示し、第２のパルス位置704に現れるパルスは、2進数の「0」を示している。したがって、図7Aの例におけるパルス706の位置は、2進数の「1」を表わしている。
【００４７】
パルス位置変調信号の場合のイレージャ指定に関係するいくつかのオペレーションの例が図8を用いて説明される。ブロック802、804および806によって表わされているように、受信装置（例えば、装置104）は、指定のパルス位置の各々において信号を感知するものであってよい。すなわち、2進パルス位置変調の場合、信号は、まずパルス位置702において感知され、次にパルス位置704において感知されるものであってもよい。
【００４８】
感知のオペレーションは、様々な方法で実行されてもよい。例えば、ある場合において、このオペレーションは、図３を用いて前述されたように、信号エネルギーを検出することを含むものであってもよい。
【００４９】
ブロック808によって表わされているように、受信装置（例えば、イレージャ検出器402）は、各々の位置において感知されるすべての信号を処理する。再び、このオペレーションは、前述のオペレーション（例えば、受信信号エネルギーを統合すること）と同様のものであってもよい。
【００５０】
ブロック810において、イレージャ検出器402は、信号情報を少なくとも１つの閾値と比較する。ある場合において、この比較は、各パルス位置についての信号情報を結合すること（例えば、各パルス位置において検出されるエネルギーレベルの加算または減算）と、その結果を閾値と比較することとを含むものであってもよい。他の場合において、ブロック810のオペレーションは、パルス位置のいずれか１つまたはその両方についての信号情報を閾値と比較することを含むものであってもよい。
【００５１】
図7Bは、後の場合の一例を示している。この例において、パルス位置の各々について、閾値の上限708Aおよび下限708Bが定義されてもよい。すなわち、パルス振幅が閾値の上限708Aまたは下限708Bを超えたら、そのパルス信号（例えば、雑音を含んでいる可能性がある）は、イレージャとしてマークされてもよい。すなわち、異常値パルス信号710（例えば、干渉源に起因するもの）はイレージャとしてマークされ、一方、パルス信号712はイレージャとしてマークされない、というものであってもよい。
【００５２】
図8のブロック812によって表わされているように、イレージャ検出器402は、ブロック810における比較に基づいて、１つまたは複数のパルスを1つまたは複数のイレージャとして指定することができる。例えば、受信装置は、パルス位置のうちの１つからの単一のパルスをイレージャとして指定するものであってもよい（例えば、図7Bの例のように）。逆に、パルス710および712が両方とも異常値である場合には、受信装置は、各パルスをイレージャとして指定してもよい。2つのパルス710および712の合計が閾値を越える（例えば、閾値708Aおよび708Bと異なる）場合、2つのパルス位置に関連するエネルギーは、イレージャとして指定されてもよい。
【００５３】
本件明細書における教示は、少なくとも１つの他の装置と通信するために様々なコンポーネントを使用する１つの装置の中に組み込まれてもよい。図９は、装置間の通信を円滑化するために使用されてもよいいくつかの例示的コンポーネントを描いている。ここで、第１の装置902および第2の装置904は、適切な媒体上でワイヤレス通信リンク906を介して通信をするように適応させられている。
【００５４】
はじめに、装置902から装置904へ情報を送ることに関与するコンポーネント（例えば、逆方向リンク）が扱われる。送信（「TX」）データプロセッサ908は、データバッファ910または他のなんらかの適切なコンポーネントからトラヒックデータ（例えば、データパケット）を受信する。送信データプロセッサ908は、選択された符号化・変調方式に基づいて各データ・パケットを処理（例えば、符号化、インターリーブ、およびシンボルマップ）して、データシンボルを提供する。一般に、データシンボルとは、データのための変調シンボルであり、パイロットシンボルとは、パイロットのための変調シンボルである（これは事前に知られている）。変調器912は、データシンボル、パイロットシンボル、および可能性として逆方向リンクのためのシグナリングを受信して、変調（例えば、OFDMまたは他のなんらかの適切な変調）および／またはシステムによって指定されるような他の処理を実行し、出力チップのストリームを提供する。送信器（「TMTR」）914は、出力チップのストリームを処理（例えば、アナログ変換、フィルタリング、増幅、および周波数アップコンバージョン）して、変調された信号を生成する。その信号は、次にアンテナ916から送信される。
【００５５】
装置902によって送信される変調信号（装置904と通信可能状態にある他の装置からの信号といっしょに送信される）は、装置904のアンテナ918によって受信される。受信器（「RCVR」）920は、アンテナ918から受信した信号を処理（例えば、調整およびディジタル化）して、受信したサンプルを提供する。復調器（「DEMOD」）922は、受信したサンプルを処理（例えば、復調および検出）して、検出されたデータシンボルを提供する。そのデータシンボルは、他の装置によって装置904に送信されるデータシンボルの雑音的な推定であるかもしれない。受信（「RX」）データ処理装置924は、検出されたデータシンボルを処理（例えば、シンボル逆マップ、逆インターリーブ、および復号）して、各送信装置（例えば、装置902）に関連する復号されたデータを提供する。
【００５６】
次に、装置904から装置902へ情報を送ることに関与するコンポーネント（例えば、順方向リンク）が扱われる。装置904において、トラヒックデータは、データシンボルを生成するために、送信（「TX」）データ処理装置926によって処理される。変調器928は、データシンボル、パイロットシンボルおよび可能性として順方向リンクに関するシグナリングを受信し、変調（例えば、OFDMまたは他のなんらかの適切な変調）および／または他の適切な処理を実行し、また出力チップのストリームを提供する。そのストリームは、送信器（「TMTR」）930によってさらに調整されて、アンテナ918から送信される。ある実装において、順方向リンクに関するシグナリングは、逆方向リンク上で装置904に対して送信をするすべての装置（例えば、端末）のためにコントローラ932によって生成される電力制御命令および他の情報（例えば、通信チャンネルに関係する情報）を含むものであってもよい。
【００５７】
装置902において、装置904によって送信される変調信号は、アンテナ916によって受信され、受信器（「RCVR」）934によって調整されディジタル化され、そして、検出データシンボルを得るために復調器（「DEMOD」）936によって処理される。受信（「RX」）データ処理装置938は、検出データシンボルを処理し、装置902についての復号データと順方向リンクシグナリングとを提供する。コントローラ940は、逆方向リンク上の装置904に対する送信データを制御し、送信電力を制御するための電源制御命令および他の情報を受信する。
【００５８】
コントローラ940および932は、それぞれ装置902および装置904の様々なオペレーションを指図する。例えば、コントローラは、適切なフィルタを決定し、そのフィルタについての情報を報告し、およびフィルタを使用して情報を復号するものであってもよい。データメモリ942および944は、それぞれコントローラ940および932によって使用されるプログラムコードおよびデータを格納してもよい。
【００５９】
図9はまた、通信コンポーネントが、本件明細書において教示されているようなイレージャ関連のオペレーションを行なう１つまたは複数のコンポーネントを含むものであってもよいことを例示している。例えば、イレージャ制御部946は、別の装置（例えば、装置904）から情報を受信するために、装置902の受信器934および復調器936および他のコンポーネントと協力してもよい。同様に、イレージャ制御部948は、別の装置（例えば、装置902）から情報を受信するために、装置904の受信器920および復調器922および他のコンポーネントを含んでいてもよい。
【００６０】
ワイヤレス装置は、ワイヤレス装置によって送信されるまたはワイヤレス装置において受信される信号に基づいて機能を実行する様々なコンポーネントを含んでいてもよい。例えば、ワイヤレスのヘッドセットは、受信器を介して受信されたデータに基づいて音声出力を提供するように構成されている変換器を含むものであってもよい。ワイヤレス時計は、受信器を介して受信されたデータに基づいて表示を提供するように構成されているユーザー・インターフェースを含むものであってもよい。ワイヤレス感知装置は、送信器を介して送信されるべきデータを提供するように構成されている感知器を含むものであってもよい。
【００６１】
ワイヤレス装置は、なんらかの適切なワイヤレス通信技術に基づく若しくはそのような技術をサポートする１つまたは複数のワイヤレス通信リンクを介して通信を行うものであってもよい。例えば、ある態様において、ワイヤレス装置は、ネットワークと提携するものであってもよい。ある態様において、当該ネットワークは、ボディエリア・ネットワークまたはパーソナルエリア・ネットワーク（例えば、超広帯域ネットワーク）であってもよい。ある態様において、当該ネットワークは、ローカルエリア・ネットワークまたは広域ネットワークであってもよい。ワイヤレス装置は、例えば、CDMA、TDMA、OFDM、OFDMA、WiMAXおよびWi-Fiのような、様々なワイヤレス通信技術、プロトコルまたは規格のうちの１つまたは複数をサポートしてもよく、またはそうでなければ使用してもよい。同様に、ワイヤレス装置は、様々な対応する変調方式または多重化方式（例えば、パルス位置変調、オン／オフ・キーイングまたは他のなんらかの適切な方式）の１つまたは複数をサポートしてもよく、またはそうでなければ使用してもよい。すなわち、ワイヤレス装置は、上記のワイヤレス通信技術または他のワイヤレス通信技術を使用して1つまたは複数のワイヤレス通信リンクを確立してそれを介して通信をするために、適切なコンポーネント（例えば、エア・インターフェース）を含むものであってもよい。例えば、装置は、ワイヤレス媒体上の通信を円滑化する様々なコンポーネント（例えば、信号発生器および信号プロセッサ）を含んでもよい関連する送信器コンポーネントおよび受信器コンポーネント（例えば、送信器108および受信器110）を備えるワイヤレス送受信器を具備するものであってもよい。
【００６２】
ある態様において、ワイヤレス装置は、パルス・ベースの（例えば、インパルス・ベースの）ワイヤレス通信リンクを介して通信をしてもよい。例えば、パルス・ベースのワイヤレス通信リンクは、比較的短い長さ（例えば、数ナノ秒以下のオーダー）および比較的広い帯域幅を持っている超広帯域パルスを利用してもよい。ある態様において、超広帯域パルスは、およそ20％以上のオーダーの比帯域幅を持っていてもよく、および／またはおよそ500MHｚ以上のオーダーの帯域幅を持っていてもよい。
【００６３】
本件明細書における教示は、様々な装置（例えば、デバイス）の中に組み込まれ（例えば、装置内で実装され、または装置によって実行され）てもよい。例えば、本件明細書において教示されている１つまたは複数の態様は、電話（例えば、携帯電話）、PDA（情報携帯端末）、娯楽装置（例えば、音楽またはビデオ装置）、ヘッドセット（例えば、ヘッドフォン、イヤーフォンなど）、マイクロフォン、医療用感知装置（例えば、生体センサー、心拍数モニター、万歩計（登録商標）、ＥＫＧ装置など）、ユーザーＩ／Ｏ装置（例えば、時計、リモコン、点灯スイッチ、キーボード、マウスなど）、環境感知装置（例えば、タイヤ圧力モニター）、コンピュータ、POSシステムの装置、娯楽装置、補聴器、セット・トップ・ボックス、または他のなんらかの適切な装置の中に組み込まれてもよい。
【００６４】
これらの装置は、異なる電力およびデータ要件を持っていてもよい。ある態様において、本件明細書における教示は、低電力のアプリケーションにおける使用のために（例えば、インパルス・ベースのシグナリング方式および低デューティサイクルモードの使用を通じて）適合させられたものであってもよく、および比較的高速のデータレート（例えば、高帯域幅パルスの使用を通じて）を含む様々なデータレートをサポートするものであってもよい。
【００６５】
ある態様において、ワイヤレス装置は、通信システム用のアクセス装置（例えば、Wi-Fiアクセス・ポイント）を含んでもよい。そのようなアクセス装置は、例えば、有線またはワイヤレス通信リンクを介して別のネットワーク（例えば、インターネットまたはセルラー・ネットワークのような広域ネットワーク）に接続性を供給してもよい。したがって、アクセス装置は、別の装置（例えば、Wi-Fi局）が別のネットワークまたは他のなんらかの機能性にアクセスすることを可能にするものであってもよい。さらに、当該装置のうちの１つまたはその両方が、ポータブルであってもよく、またはある場合においては比較的非ポータブルであってもよい。
【００６６】
本件明細書において説明されたコンポーネントは、様々な方法で実装されてもよい。図10を参照し、装置1000は、例えば、1つまたは複数の集積回路（例えば、ASIC）によって実装される機能を表わしてもよいまたは本件明細書において教示されているような他のなんらかの方法で実装されてもよい一連の相互に関係する機能ブロックとして表わされる。本件明細書において論じられているように、集積回路は、プロセッサ、ソフトウェア、他のコンポーネントまたはこれらのもののなんらかの組み合わせを含むものであってもよい。
【００６７】
装置1000は、様々な図面に関して上で説明された機能のうちの1つまたは複数を実行してもよい1つまたは複数のモジュールを含むものであってもよい。例えば、受信のためのASIC1002は、例えば、本件明細書において論じられているような受信器に対応するものであってもよい。比較をするためのASIC1004は、例えば、本件明細書において論じられているような比較器に対応するものであってもよい。指定をするためのASIC1006は、例えば、本件明細書において論じられているようなイレージャ表示器に対応するものであってもよい。閾値の定義／適合化のためのASIC1008は、例えば、本件明細書において論じられているような閾値生成器に対応するものであってもよい。合計をするためのASIC1010は、例えば、本件明細書において論じられているような信号プロセッサに対応するものであってもよい。
【００６８】
上で注目されたように、ある態様において、これらのコンポーネントは、適切なプロセッサコンポーネントによって実装されるものであってもよい。これらのプロセッサコンポーネントは、ある態様において、本件明細書において教示されているような構造を使用して少なくとも一部において実装されるものであってもよい。ある態様において、プロセッサは、これらのコンポーネントのうちの1つまたは複数の機能性の一部または全部を実装するように適合させられてもよい。ある態様において、破線のボックスによって表わされているコンポーネントのうちの1つまたは複数は、オプションである。
【００６９】
上で注目されたように、装置1000は、1つまたは複数の集積回路を含むものであってもよい。例えば、ある態様において、1つの集積回路が、例示されている１つまたは複数のコンポーネントの機能性を実装し、一方、他の態様において、2つ以上の集積回路が、例示されている1つまたは複数のコンポーネントの機能性を実装してもよい。
【００７０】
さらに、図10によって表わされているコンポーネントおよび機能並びに本件明細書において説明されている他のコンポーネントおよび機能は、なんらかの適切な手段を用いて実装されてもよい。そのような手段はまた、本件明細書において教示されているような対応する構造を使用して少なくとも部分的に実装されてもよい。例えば、図10のコンポーネントの「のためのASIC」と協働する前述のコンポーネントは、同様に指定されている機能性の「ための手段」と対応してもよい。したがって、ある態様において、そのような手段の1つまたは複数は、プロセッサコンポーネント、集積回路あるいは本件明細書において教示されているような他の適切な構造の1つまたは複数を使用して実装されてもよい。
【００７１】
また、「第1」、「第2」等の指示を使用する本件明細書におけるエレメントへのいかなる言及もこれらのエレメントの数量または順序を一般的に制限するものではないということが理解されるべきである。むしろ、これらの指示は、本件明細書においては、2つまたはそれ以上の異なるエレメントを識別する便宜上の方法として使用されてもよいものである。すなわち、第１のエレメントおよび第２のエレメントへの言及は、そこでただ２つのエレメントが使用されることを意味するものではなく、また第1のエレメントがある方法で第２のエレメントに先行しなければならないことを意味するものでもない。さらに、特段のことわり書きがないかぎり、１セットのエレメントは、1つまたは複数のエレメントであってもよい。
【００７２】
当業者であれば、情報および信号は、様々な異なる技術および技法のうちなんらかのものを使用して表現可能であることを理解するであろう。例えば、上記の説明全体を通じて参照されることができるデータ、命令、コマンド、情報、信号、ビット、シンボルおよびチップは、電圧、電流、電磁波、磁場または磁気粒子、光子場または光粒子、またはこれらのもののなんらかの組み合わせによって表現されてもよい。
【００７３】
当業者であれば、本件明細書において開示されている態様に関連して説明された様々な例示的な論理ブロック、モジュール、プロセッサ、手段、回路、およびアルゴリズム・ステップはどれも、電子ハードウェア（例えば、ディジタル的実装、アナログ的実装またはこれらの組み合わせであって、これらは、ソース・コーディングまたは他のなんらかの技法を用いて設計されるものであってもよい。）、様々な形式のプログラムまたは命令組み込み型設計コード（これらは本件明細書では便宜上「ソフトウェア」または「ソフトウェア・モジュール」と呼ばれてもよい）、または両者の組み合わせとして実装可能であるということをさらに理解するであろう。ハードウェアとソフトウェアのこの置換可能性を明白に例示するために、様々な例示的なコンポーネント、ブロック、モジュール、回路およびステップが、それらの機能性の観点から上記において一般的に説明されてきた。そのような機能性がハードウェアとして実装されるか、またはソフトウェアとして実装されるかは、特定のアプリケーション、およびシステム全体に課される設計上の制約に依存するところである。当業者は、前述の機能性を各々の特定のアプリケーションに応じて異なる手段で実装することができる。しかし、そのような実装が、本件発明の範囲からの逸脱を起こすものと解釈されるべきではない。
【００７４】
本件明細書開示の態様に関連して説明されている様々な例示的な論理ブロック、モジュール、および回路は、集積回路（IC）、アクセス端末、またはアクセスポイントによって実行されてもよい。ICは、汎用目的プロセッサ、ディジタル信号プロセッサ（DSP）、特定用途向けIC（ASIC）、フィールド・プログラマブル・ゲート・アレイ(FPGA)または他のプログラマブル論理デバイス、離散的ゲートまたはトランジスタ論理、離散的ハードウェア・コンポーネント、電気的コンポーネント、光学的コンポーネント、機械的コンポーネント、またはこれらのもののなんらかの組み合わせであって本件明細書記載の機能を実現するように設計されたものを含み、またICの内部、外部またはその両方にあるコードまたは命令を実行するものであってもよい。汎用目的プロセッサは、マイクロプロセッサであってもよいが、そのかわりに、なんらかの普通のプロセッサ、コントローラ、マイクロコントローラ、または状態機械（ステートマシン）であってもよい。プロセッサはまた、計算装置の組み合わせとして、例えば、DSPとマイクロプロセッサとの組み合わせ、複数のマイクロプロセッサ、DSPコアと協働する1つまたは複数のマイクロプロセッサ、または他のなんらかの同様の機器構成として、実装されることもできる。
【００７５】
開示されているどのプロセスについても、ステップの特定の順序または階層はどれも例示的アプローチの一例であることが理解される。プロセスのステップの特定の順序または階層は、設計上の選好に基づいて、本件開示の範囲の中でアレンジし直すことができることも理解される。添付されている方法クレームは、さまざまなステップの要素をサンプル的な順序において表すものであって、表されている特定の順序または階層に限られることを意図するものではない。
【００７６】
本件明細書開示の態様に関連して説明されている方法またはアルゴリズムのステップは、ハードウェア、プロセッサによって実行されるソフトウェア・モジュール、またはその２つの組み合わせにおいて、直接的に具体化されることができる。ソフトウェア・モジュール（例えば、実行可能な命令および関連するデータを含む）および他のデータは、RAMメモリ、フラッシュメモリ、ROMメモリ、EPROMメモリ、EEPROMメモリ、レジスタ、ハードディスク、リムーバブルディスク、CD-ROMまたは本件技術分野において既知の他のなんらかの形式のコンピュータ可読記憶媒体の中に在ってもよい。例示的記憶媒体は、例えば、コンピュータ/プロセッサ（本件明細書において、便宣上「プロセッサ」という。）のような機械と結合されていて、プロセッサが記憶媒体から情報(例えば、コード)を読み取る、および記憶媒体に情報を書き込むことができるようになっていてもよい。例示的記憶媒体は、プロセッサと一体化されていてもよい。プロセッサおよび記憶媒体は、ASICの中に在ってもよい。ASICは、ユーザー設備の中に在ってもよい。代替的に、プロセッサおよび記憶媒体は、ユーザー端末の中に、離散的コンポーネントとして在ってもよい。さらに、ある態様において、なんらかの適切なコンピュータ・プログラム・プロダクトは、1つまたは複数の本件発明の態様に関係するコード（例えば、少なくとも１つのコンピュータで実行可能なコード）を具備するコンピュータ可読媒体であってもよい。ある態様において、コンピュータ・プログラム・プロダクトは、パッケージ・マテリアルであってもよい。
【００７７】
本件発明についての以上の説明は、どのような当業者も、本件発明を製造し、または使用することができるように提供されている。本件発明に対する様々な修正は、当業者にとって直ちに明白であって、本件明細書において定義されている一般原則は、本件発明の要旨または範囲から逸脱することなく、他の態様に対しても適用可能である。したがって、本件発明は、本件明細書において説明されている態様に限定されるように意図されているものではなく、本件明細書に開示されている原則および新規な特徴と一致する最も広い範囲が与えられるべきものである。
【図１】
2010541373.tif 000003
【図２】
2010541373.tif 000004
【図３】
2010541373.tif 000005
【図４】
2010541373.tif 000006
【図５】
2010541373.tif 000007
【図６】
2010541373.tif 000008
【図７Ａ】
2010541373.tif 000009
【図７Ｂ】
2010541373.tif 000010
【図８】
2010541373.tif 000011
【図９】
2010541373.tif 000012
【図１０】
2010541373.tif 000013
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
少なくとも1つのパルス信号を受信することと、
前記少なくとも１つのパルス信号の少なくとも１つの特徴を少なくとも１つの閾値と比較することと、および
前記比較に基づいて前記少なくとも１つのパルス信号を少なくとも１つのイレージャとして指定することと
を具備するイレージャ検出方法であって、前記少なくとも１つの閾値が、以前に受信したパルス信号の少なくとも１つの特徴に基づいて定義され、および閾値生成器によって反復的に適合させられるイレージャ検出方法。
【請求項２】
前記少なくとも１つのパルス信号の前記少なくとも１つの特徴が、以下のものからなるグループのうちの少なくとも１つに関係する、請求項1に記載の方法：
前記少なくとも１つのパルス信号の信号強度、
前記少なくとも１つのパルス信号の振幅、
前記少なくとも１つのパルス信号の位相、
前記少なくとも１つのパルス信号の周波数、および
前記少なくとも１つのパルス信号の帯域幅。
【請求項３】
前記少なくとも１つの閾値が、以下のものを具備する、請求項２に記載の方法：
前記以前に受信したパルス信号の前記少なくとも１つの特徴の平均、
前記以前に受信したパルス信号の前記少なくとも１つの特徴の一定時間枠内の中間、
前記以前に受信したパルス信号の前記少なくとも１つの特徴の加重平均、または
前記以前に受信したパルス信号の前記少なくとも１つの特徴のメジアン。
【請求項４】
前記以前に受信したパルス信号の前記少なくとも１つの特徴が、以下のものからなるグループのうちの少なくとも１つに関係する、請求項２に記載の方法：
前記以前に受信したパルス信号の信号強度、
前記以前に受信したパルス信号の振幅、
前記以前に受信したパルス信号の位相、
前記以前に受信したパルス信号の周波数、および
前記以前に受信したパルス信号の帯域幅。
【請求項５】
パケットの受信の成功に基づいて前記少なくとも１つの閾値を定義することをさらに具備する、請求項1に記載の方法。
【請求項６】
前記比較が、前記少なくとも１つのパルス信号の前記少なくとも１つの特徴が前記少なくとも１つの閾値以上であるかどうか決定することを具備する、請求項１に記載の方法。
【請求項７】
前記比較が、前記少なくとも１つのパルス信号の前記少なくとも１つの特徴が前記少なくとも１つの閾値以下であるかどうか決定することを具備する、請求項１に記載の方法。
【請求項８】
前記比較が、以下のものに基づいている、請求項１に記載の方法：
前記少なくとも１つのパルス信号の前記少なくとも１つの特徴の無限インパルス応答のフィルタリングされた値、または
前記少なくとも１つのパルス信号の前記少なくとも１つの特徴の有限インパルス応答のフィルタリングされた値。
【請求項９】
前記少なくとも１つのイレージャが、畳み込み符号のためのビタビ決定メトリックスを具備する、請求項１に記載の方法。
【請求項１０】
前記受信した少なくとも１つのパルス信号を少なくとも１つのイレージャとして前記指定することが、他の少なくとも１つのパルス信号と前記少なくとも１つの閾値との少なくとも１つの以前の比較に基づいている、請求項1に記載の方法。
【請求項１１】
前記少なくとも１つのパルス信号が、少なくとも１つのパルス位置変調信号を具備する、請求項１に記載の方法。
【請求項１２】
前記比較が、前記少なくとも１つの閾値を、前記少なくとも１つのパルス位置変調信号について定義される少なくとも１つのパルス位置において検出されるエネルギーと比較することを具備する、請求項11に記載の方法。
【請求項１３】
前記少なくとも１つのパルス位置変調信号について定義される異なるパルス位置において検出されるエネルギーレベルを合計することをさらに具備する、請求項11に記載の方法であって、
前記比較が、前記合計されたエネルギーレベルを、前記少なくとも１つの閾値と比較することを具備する方法。
【請求項１４】
前記少なくとも１つのパルス信号が、複数のパルス信号を具備する、請求項１に記載の方法。
【請求項１５】
前記パルス信号を少なくとも１つのイレージャとして前記指定することが、前記パルス信号の少なくとも１つの特徴が前記少なくとも１つの閾値以上であるかどうかに基づいている、請求項14に記載の方法。
【請求項１６】
前記パルス信号を少なくとも１つのイレージャとして前記指定することが、前記パルス信号の各々の少なくとも１つの特徴が前記少なくとも１つの閾値以下であるかどうかに基づいている、請求項14に記載の方法。
【請求項１７】
前記比較が、前記パルス信号の前記少なくとも１つの特徴の合計を前記少なくとも１つの閾値と比較することを具備する、請求項14に記載の方法。
【請求項１８】
前記少なくとも１つのパルス信号が、少なくとも１つの超広帯域パルスを含み、および
前記少なくとも１つの超広帯域パルスが、20％以上のオーダーの比帯域幅を持っているか、500MHｚ以上のオーダーの帯域幅を持っているか、または20％以上のオーダーの比帯域幅および500MHｚ以上のオーダーの帯域幅を持っている、請求項1に記載の方法。
【請求項１９】
イレージャ検出のための装置であって、
少なくとも１つのパルス信号を受信するように構成されている受信器と、
前記少なくとも１つのパルス信号の少なくとも１つの特徴を少なくとも１つの閾値と比較するように構成され、かつ、前記比較に基づいて前記少なくとも１つのパルス信号を少なくとも１つのイレージャとして指定するようにさらに構成されているイレージャ検出器と、および
以前に受信したパルス信号の少なくとも１つの特徴に基づいて前記少なくとも１つの閾値を定義するように構成され、かつ、前記少なくとも１つの閾値に反復的に適合させるように構成されている閾値生成器と
を具備する装置。
【請求項２０】
前記少なくとも１つのパルス信号の前記少なくとも１つの特徴が、下記のものからなるグループのうちの少なくとも１つに関係する、請求項19に記載の装置：
前記少なくとも１つのパルス信号の信号強度、
前記少なくとも１つのパルス信号の振幅、
前記少なくとも１つのパルス信号の位相、
前記少なくとも１つのパルス信号の周波数、および
前記少なくとも１つのパルス信号の帯域幅。
【請求項２１】
前記少なくとも１つの閾値が、以下のものを具備する、請求項19に記載の装置：
前記以前に受信したパルス信号の前記少なくとも１つの特徴の平均、
前記以前に受信したパルス信号の前記少なくとも１つの特徴の一定時間枠内の中間、
前記以前に受信したパルス信号の前記少なくとも１つの特徴の加重平均、または
前記以前に受信したパルス信号の前記少なくとも１つの特徴のメジアン。
【請求項２２】
前記以前に受信したパルス信号の前記少なくとも１つの特徴が、下記のものからなるグループのうちの少なくとも１つに関係する、請求項19に記載の装置：
前記以前に受信したパルス信号の信号強度、
前記以前に受信したパルス信号の振幅、
前記以前に受信したパルス信号の位相、
前記以前に受信したパルス信号の周波数、および
前記以前に受信したパルス信号の帯域幅。
【請求項２３】
パケットの受信の成功に基づいて前記少なくとも１つの閾値を定義するように構成されている閾値生成器をさらに具備する、請求項19に記載の装置。
【請求項２４】
前記比較が、前記少なくとも１つのパルス信号の前記少なくとも１つの特徴が前記少なくとも１つの閾値以上であるか決定することを具備する、請求項19に記載の装置。
【請求項２５】
前記比較が、前記少なくとも１つのパルス信号の前記少なくとも１つの特徴が前記少なくとも１つの閾値以下であるか決定することを具備する、請求項19に記載の装置。
【請求項２６】
前記比較が、以下のものに基づいている、請求項19に記載の装置：
前記少なくとも１つのパルス信号の前記少なくとも１つの特徴の無限インパルス応答のフィルタリングされた値、または
前記少なくとも１つのパルス信号の前記少なくとも１つの特徴の有限インパルス応答のフィルタリングされた値。
【請求項２７】
前記少なくとも１つのイレージャは、畳み込み符号のためのビタビ決定メトリックスを具備する、請求項19に記載の装置。
【請求項２８】
前記受信した少なくとも１つのパルス信号を少なくとも１つのイレージャとして前記指定することが、他の少なくとも１つの信号と前記少なくとも１つの閾値との少なくとも１つの以前の比較に基づいている、請求項19に記載の装置。
【請求項２９】
前記少なくとも１つのパルス信号が、少なくとも１つのパルス位置変調信号を具備する、請求項19に記載の装置。
【請求項３０】
前記比較が、前記少なくとも１つの閾値を、前記少なくとも１つのパルス位置変調信号について定義される少なくとも１つのパルス位置において検出されるエネルギーと比較することを具備する、請求項29に記載の装置。
【請求項３１】
前記イレージャ検出器が、前記少なくとも１つのパルス位置変調信号について定義される異なるパルス位置において検出されるエネルギーレベルを合計するようにさらに構成されており、および
前記比較が、前記合計されたエネルギーレベルを、前記少なくとも１つの閾値と比較することを具備する、請求項29に記載の装置。
【請求項３２】
前記少なくとも１つのパルス信号が、複数のパルス信号を具備する、請求項29に記載の装置。
【請求項３３】
前記パルス信号を少なくとも１つのイレージャとして前記指定することが、前記パルス信号の各々の少なくとも１つの特徴が前記少なくとも１つの閾値以上であるかどうかに基づいている、請求項32に記載の装置。
【請求項３４】
前記パルス信号を少なくとも１つのイレージャとして前記指定することが、前記パルス信号の各々の少なくとも１つの特徴が前記少なくとも１つの閾値以下であるかどうかに基づいている、請求項32に記載の装置。
【請求項３５】
前記比較が、前記パルス信号の前記少なくとも１つの特徴の合計を前記少なくとも１つの閾値と比較することを具備する、請求項32に記載の装置。
【請求項３６】
前記少なくとも１つのパルス信号が、少なくとも１つの超広帯域パルスを具備し、および
前記少なくとも１つの超広帯域パルスが、20％以上のオーダーの比帯域幅を持っているか、500MHｚ以上のオーダーの帯域幅を持っているか、または20％以上のオーダーの比帯域幅および500MHｚ以上のオーダーの帯域幅を持っている、
請求項19に記載の装置。
【請求項３７】
イレージャ検出のための装置であって、
少なくとも１つのパルス信号を受信するための手段と、
前記少なくとも１つのパルス信号の少なくとも１つの特徴を少なくとも１つの閾値と比較するための手段と、
前記比較に基づいて、前記少なくとも１つのパルス信号を少なくとも１つのイレージャとして指定するための手段と、
以前に受信したパルス信号の少なくとも１つの特徴に基づいて前記少なくとも１つの閾値を定義するための手段と、および
前記少なくとも１つの閾値を反復的に適合させる手段と
を具備する装置。
【請求項３８】
前記少なくとも１つのパルス信号の前記少なくとも１つの特徴が、以下のものからなるグループのうちの少なくとも１つに関係する、請求項37に記載の装置：
前記少なくとも１つのパルス信号の信号強度、
前記少なくとも１つのパルス信号の振幅、
前記少なくとも１つのパルス信号の位相、
前記少なくとも１つのパルス信号の周波数、および
前記少なくとも１つのパルス信号の帯域幅。
【請求項３９】
前記少なくとも１つの閾値が、以下のものを具備する、請求項37に記載の装置：
前記以前に受信したパルス信号の前記少なくとも１つの特徴の平均、
前記以前に受信したパルス信号の前記少なくとも１つの特徴の一定時間枠内の中間、
前記以前に受信したパルス信号の前記少なくとも１つの特徴の加重平均、または
前記以前に受信したパルス信号の前記少なくとも１つの特徴のメジアン。
【請求項４０】
前記以前に受信したパルス信号の前記少なくとも１つの特徴が、以下のものからなるグループのうちの少なくとも１つに関係する、請求項37に記載の装置：
前記以前に受信パルス信号の信号強度、
前記以前に受信パルス信号の振幅、
前記以前に受信パルス信号の位相、
前記以前に受信パルス信号の周波数、および
前記以前に受信パルス信号の帯域幅。
【請求項４１】
パケットの受信に成功に基づいて前記少なくとも１つの閾値を定義するための手段をさらに具備する、請求項37に記載の装置。
【請求項４２】
前記比較が、前記少なくとも１つのパルス信号の前記少なくとも１つの特徴が前記少なくとも１つの閾値以上であるかどうか決定することを具備する、請求項37に記載の装置。
【請求項４３】
前記比較が、前記少なくとも１つのパルス信号の前記少なくとも１つの特徴が前記少なくとも１つの閾値以下であるかどうかを決定することを具備する、請求項37に記載の装置。
【請求項４４】
前記比較が、以下のものに基づいている、請求項37に記載の装置：
前記少なくとも１つのパルス信号の前記少なくとも１つの特徴の無限インパルス応答のフィルタリングされた値、または
前記少なくとも１つのパルス信号の前記少なくとも１つの特徴の有限インパルス応答のフィルタリングされた値。
【請求項４５】
前記少なくとも１つのイレージャが、畳み込み符号のためのビタビ決定メトリックスを具備する、請求項37に記載の装置。
【請求項４６】
前記受信した少なくとも１つのパルス信号を少なくとも１つのイレージャとして前記指定することが、他の少なくとも少なくとも１つのパルス信号と前記少なくとも１つの閾値との少なくとも１つの以前の比較に基づいている、請求項37に記載の装置。
【請求項４７】
前記少なくとも１つのパルス信号が、少なくとも１つのパルス位置変調信号を具備する、請求項37に記載の装置。
【請求項４８】
前記比較が、前記少なくとも１つの閾値を、前記少なくとも１つのパルス位置変調信号のために定義される少なくとも１つのパルス位置において検出されるエネルギーと比較することを具備する、請求項47に記載の装置。
【請求項４９】
前記少なくとも１つのパルス位置変調信号について定義される異なるパルス位置において検出されるエネルギーレベルを合計するための手段をさらに具備する、請求項47に記載の装置であって、
前記比較が、前記合計されたエネルギーレベルを前記少なくとも１つの閾値と比較することをさらに具備する請求項47に記載の装置。
【請求項５０】
前記少なくとも１つのパルス信号が、複数のパルス信号を具備する、請求項37に記載の装置。
【請求項５１】
前記パルス信号を少なくとも１つのイレージャとして前記指定することが、前記パルス信号の各々の少なくとも1つの特徴が前記少なくとも１つの閾値以上であるかどうかに基づいている、請求項50に記載の装置。
【請求項５２】
前記パルス信号を少なくとも１つのイレージャとして前記指定することが、前記パルス信号の各々の少なくとも1つの特徴が前記少なくとも１つの閾値以下であるかどうかに基づいている、請求項50に記載の装置。
【請求項５３】
前記比較が、前記パルス信号の前記少なくとも１つの特徴の合計を前記少なくとも１つの閾値と比較することを具備する、請求項50に記載の装置。
【請求項５４】
前記少なくとも１つのパルス信号が、少なくとも１つの超広帯域パルスを具備し、および
前記少なくとも１つの超広帯域パルスが、20％以上のオーダーの比帯域幅を持っているか、500MHｚ以上のオーダーの帯域幅を持っているか、または20％以上のオーダーの比帯域幅および500MHｚ以上のオーダーの帯域幅を持っている、
請求項37に記載の装置。
【請求項５５】
請求項１ないし19のうちのいずれかの請求項の前記ステップを実行するための少なくとも１つのコンピュータによって実行可能なコードを具備するコンピュータ可読媒体を具備するイレージャ検出のためのコンピュータ・プログラム・プロダクト。
【請求項５６】
少なくとも１つのパルス信号を受信するように構成されている受信器と、
前記少なくとも１つのパルス信号の少なくとも１つの特徴を少なくとも１つの閾値と比較するように構成され、かつ前記比較に基づいて前記少なくとも１つのパルス信号を前記少なくとも１つのイレージャとして指定するようにさらに構成されているイレージャ検出器と、
以前に受信したパルス信号の少なくとも１つの特徴に基づいて前記少なくとも１つの閾値を定義するように構成され、かつ前記少なくとも１つの閾値を反復的に適合させるように構成されている閾値生成器と、および
前記受信器を介して受信されたデータに基づいて音声出力を提供するように構成されている変換器と
を具備するヘッドセット。
【請求項５７】
少なくとも１つのパルス信号を受信するように構成されている受信器と、
前記少なくとも１つのパルス信号の少なくとも１つの特徴を少なくとも１つの閾値と比較するように構成され、かつ前記比較に基づいて前記少なくとも１つのパルス信号を前記少なくとも１つのイレージャとして指定するようにさらに構成されているイレージャ検出器と、
以前に受信したパルス信号の少なくとも１つの特徴に基づいて前記少なくとも１つの閾値を定義するように構成され、かつ前記少なくとも１つの閾値を反復的に適合させるように構成されている閾値生成器と、および
前記受信器を介して受信されたデータに基づいて表示を提供するように構成されているユーザー・インターフェースと
を具備する時計。
【請求項５８】
ワイヤレス通信のための感知装置であって、
アンテナと
前記アンテナを介して少なくとも１つのパルス信号を受信するように構成されている受信器と、
前記少なくとも１つのパルス信号の少なくとも１つの特徴を少なくとも１つの閾値と比較するように構成され、かつ前記比較に基づいて前記少なくとも１つのパルス信号を前記少なくとも１つのイレージャとして指定するようにさらに構成されているイレージャ検出器と
以前に受信したパルス信号の少なくとも１つの特徴に基づいて前記少なくとも１つの閾値を定義するように構成され、かつ前記少なくとも１つの閾値を反復的に適合させるように構成されている閾値生成器と、および
前記アンテナを介して送信されるべきデータを提供するように構成されている感知器
を具備する感知装置。
【手続補正２】
【補正対象書類名】明細書
【補正対象項目名】００７７
【補正方法】変更
【補正の内容】
【００７７】
本件発明についての以上の説明は、どのような当業者も、本件発明を製造し、または使用することができるように提供されている。本件発明に対する様々な修正は、当業者にとって直ちに明白であって、本件明細書において定義されている一般原則は、本件発明の要旨または範囲から逸脱することなく、他の態様に対しても適用可能である。したがって、本件発明は、本件明細書において説明されている態様に限定されるように意図されているものではなく、本件明細書に開示されている原則および新規な特徴と一致する最も広い範囲が与えられるべきものである。

＜本件出願当初の請求項の内容の付記＞
［C1］イレージャ検出の方法であって、
少なくとも１つのパルス信号を受信することと、
前記少なくとも１つのパルス信号の少なくとも１つの特徴を少なくとも１つの閾値と比較することと、および
前記比較に基づいて前記少なくとも1つのパルス信号を少なくとも１つのイレージャとして指定することと
を具備する方法。
［C2］前記少なくとも１つのパルス信号の前記少なくとも１つの特徴が、以下のものからなるグループのうちの少なくとも１つに関係する、C１に記載の方法：
前記少なくとも１つのパルス信号の信号強度、
前記少なくとも１つのパルス信号の振幅、
前記少なくとも１つのパルス信号の位相、
前記少なくとも１つのパルス信号の周波数、および、
前記少なくとも１つのパルス信号の帯域幅。
［C3］以前に受信したパルス信号の少なくとも１つの特徴に基づいて前記少なくとも１つの閾値を定義することをさらに具備する、C１に記載の方法。
［C4］前記少なくとも１つの閾値が、以下のものを具備する、C３に記載の方法：
前記以前に受信したパルス信号の前記少なくとも１つの特徴の平均、
前記以前に受信したパルス信号の前記少なくとも１つの特徴の一定時間枠内の中間、
前記以前に受信したパルス信号の前記少なくとも１つの特徴の加重平均、または
前記以前に受信したパルス信号の前記少なくとも１つの特徴のメジアン。
［C5］前記以前に受信したパルス信号の前記少なくとも１つの特徴が、以下のものからなるグループのうちの少なくとも１つに関係する、C３に記載の方法：
前記以前に受信したパルス信号の信号強度、
前記以前に受信したパルス信号の振幅、
前記以前に受信したパルス信号の位相、
前記以前に受信したパルス信号の周波数、および、
前記以前に受信したパルス信号の帯域幅。
［C6］パケットの受信の成功に基づいて前記少なくとも１つの閾値を定義することをさらに具備する、C1に記載の方法。
［C7］前記少なくとも１つの閾値を反復的に適合させることをさらに具備する、C１に記載の方法。
［C8］前記比較が、前記少なくとも１つのパルス信号の前記少なくとも１つの特徴が前記少なくとも１つの閾値以上であるかどうか決定することを具備する、C１に記載の方法。
［C9］前記比較が、前記少なくとも１つのパルス信号の前記少なくとも１つの特徴が前記少なくとも１つの閾値以下であるかどうか決定することを具備する、C１に記載の方法。
［C10］前記比較が、以下のものに基づいている、C１に記載の方法：
前記少なくとも１つのパルス信号の前記少なくとも１つの特徴の無限インパルス応答のフィルタリングされた値、または
前記少なくとも１つのパルス信号の前記少なくとも１つの特徴の有限インパルス応答のフィルタリングされた値。
［C11］前記少なくとも１つのイレージャが、畳み込み符号のためのビタビ決定メトリックスを具備する、C１に記載の方法。
［C12］前記受信した少なくとも１つのパルス信号を少なくとも１つのイレージャとして前記指定することが、他の少なくとも１つのパルス信号と前記少なくとも１つの閾値との少なくとも１つの以前の比較に基づいている、C1に記載の方法。
［C13］前記少なくとも１つのパルス信号が、少なくとも１つのパルス位置変調信号を具備する、C１に記載の方法。
［C14］前記比較が、前記少なくとも１つの閾値を、前記少なくとも１つのパルス位置変調信号について定義される少なくとも１つのパルス位置において検出されるエネルギーと比較することを具備する、C13に記載の方法。
［C15］前記少なくとも１つのパルス位置変調信号について定義された異なるパルス位置において検出されたエネルギーレベルを合計することをさらに具備する、C13に記載の方法であって、
前記比較が、前記合計されたエネルギーレベルを前記少なくとも１つの閾値と比較することを具備する方法。
［C16］前記少なくとも１つのパルス信号が、複数のパルス信号を具備する、C１に記載の方法。
［C17］前記パルス信号を少なくとも１つのイレージャとして前記指定することが、前記パルス信号の各々の少なくとも１つの特徴が前記少なくとも１つの閾値以上であるかどうかに基づいている、C16に記載の方法。
［C18］前記パルス信号を少なくとも１つのイレージャとして前記指定することが、前記パルス信号の各々の少なくとも１つの特徴が前記少なくとも１つの閾値以下であるかどうかに基づいている、C16に記載の方法。
［C19］前記比較が、前記パルス信号の前記少なくとも１つの特徴の合計を前記少なくとも１つの閾値と比較することを具備する、C16に記載の方法。
［C20］前記少なくとも１つのパルス信号が、少なくとも１つの超広帯域パルスを具備し、および
前記少なくとも１つの超広帯域パルスが、20％以上のオーダーの比帯域幅を持っているか、500MHｚ以上のオーダーの帯域幅を持っているか、または20％以上のオーダーの比帯域幅および500MHｚ以上のオーダーの帯域幅を持っている、C1に記載の方法。
［C21］イレージャ検出のための装置であって、
少なくとも１つのパルス信号を受信するように構成されている受信器と、および
前記少なくとも１つのパルス信号の少なくとも１つの特徴を少なくとも１つの閾値と比較するように構成され、かつ、前記比較に基づいて前記少なくとも１つのパルス信号を少なくとも１つのイレージャとして指定するようにさらに構成されているイレージャ検出器と
を具備する装置。
［C22］前記少なくとも１つのパルス信号の前記少なくとも１つの特徴が、以下のものからなるグループのうちの少なくとも１つに関係する、C21に記載の装置：
前記少なくとも１つのパルス信号の信号強度、
または前記少なくとも１つのパルス信号の振幅、
前記少なくとも１つのパルス信号の位相、
前記少なくとも１つのパルス信号の周波数、および、
前記少なくとも１つのパルス信号の帯域幅。
［C23］以前に受信したパルス信号の少なくとも１つの特徴に基づいて前記少なくとも１つの閾値を定義するように構成されている閾値生成器をさらに具備する、C21に記載の装置。
［C24］前記少なくとも１つの閾値が、以下のものを具備する、C23に記載の装置：
前記以前に受信したパルス信号の前記少なくとも１つの特徴の平均、
前記以前に受信したパルス信号の前記少なくとも１つの特徴の一定時間枠内の中間、
前記以前に受信したパルス信号の前記少なくとも１つの特徴の加重平均、または
前記以前に受信したパルス信号の前記少なくとも１つの特徴のメジアン。
［C25］前記以前に受信したパルス信号の前記少なくとも１つの特徴が、以下のものからなるグループのうちの少なくとも１つに関係する、C23に記載の装置：
前記以前に受信したパルス信号の信号強度、
前記以前に受信したパルス信号の振幅、
前記以前に受信したパルス信号の位相、
前記以前に受信したパルス信号の周波数、および、
前記以前に受信したパルス信号の帯域幅。
［C26］パケットの受信の成功に基づいて前記少なくとも１つの閾値を定義するように構成されている閾値生成器をさらに具備する、C21に記載の装置。
［C27］前記少なくとも１つの閾値を反復的に適合させるように構成されている閾値生成器をさらに具備する、C21に記載の装置。
［C28］前記比較が、前記少なくとも１つのパルス信号の前記少なくとも１つの特徴が前記少なくとも１つの閾値以上であるかどうか決定することを具備する、C21に記載の装置。
［C29］前記比較が、前記少なくとも１つのパルス信号の前記少なくとも１つの特徴が前記少なくとも１つの閾値以下であるかどうか決定することを具備する、C21に記載の装置。
［C30］前記比較が、以下のものに基づいている、C21に記載の装置：
前記少なくとも１つのパルス信号の前記少なくとも１つの特徴の無限インパルス応答のフィルタリングされた値、または、
前記少なくとも１つのパルス信号の前記少なくとも１つの特徴の有限インパルス応答のフィルタリングされた値。
［C31］前記少なくとも１つのイレージャが、畳み込み符号のためのビタビ決定メトリックスを具備する、C21に記載の装置。
［C32］前記受信した少なくとも１つのパルス信号を少なくとも１つのイレージャとして前記指定することが、他の少なくとも１つのパルス信号と前記少なくとも１つの閾値との少なくとも１つの以前の比較に基づいている、C21に記載の装置。
［C33］前記少なくとも１つのパルス信号が、少なくとも１つのパルス位置変調信号を具備する、C21に記載の装置。
［C34］前記比較が、前記少なくとも１つの閾値を、前記少なくとも１つのパルス位置変調信号のために定義される少なくとも１つのパルス位置において検出されるエネルギーと比較することを具備する、C33に記載の装置。
［C35］前記イレージャ検出器が、前記少なくとも１つのパルス位置変調信号について定義される異なるパルス位置において検出されるエネルギーレベルを合計するようにさらに構成されており、および
前記比較が、前記合計されたエネルギーレベルを前記少なくとも１つの閾値と比較することを具備する、
C33に記載の装置。
［C36］前記少なくとも１つのパルス信号が、複数のパルス信号を具備する、C21に記載の装置。
［C37］前記パルス信号を少なくとも１つのイレージャとして前記指定することが、前記パルス信号の各々の少なくとも１つの特徴が前記少なくとも１つの閾値以上であるかどうかに基づいている、C36に記載の装置。
［C38］前記パルス信号を少なくとも１つのイレージャとして前記指定することが、前記パルス信号の各々の少なくとも１つの特徴が前記少なくとも１つの閾値以下であるかどうかに基づいている、C36に記載の装置。
［C39］前記比較が、前記パルス信号の前記少なくとも１つの特徴の合計を前記少なくとも１つの閾値と比較することを具備する、C36に記載の装置。
［C40］前記少なくとも１つのパルス信号が、少なくとも１つの超広帯域パルスを含み、および
前記少なくとも１つの超広帯域パルスが、20％以上のオーダーの比帯域幅を持っているか、500MHｚ以上のオーダーの帯域幅を持っているか、または20％以上のオーダーの比帯域幅および500MHｚ以上のオーダーの帯域幅を持っている、
C21に記載の装置。
［C41］イレージャ検出のための装置であって、
少なくとも１つのパルス信号を受信するための手段と、
前記少なくとも１つのパルス信号の少なくとも１つの特徴を少なくとも１つの閾値と比較するための手段と、および
前記比較に基づいて前記少なくとも１つのパルス信号を少なくとも１つのイレージャとして指定するための手段と
を具備する装置。
［C42］前記少なくとも１つのパルス信号の前記少なくとも１つの特徴が、以下のものからなるグループのうちの少なくとも１つに関係する、C41に記載の装置：
前記少なくとも１つのパルス信号の信号強度、
前記少なくとも１つのパルス信号の振幅、
前記少なくとも１つのパルス信号の位相、
前記少なくとも１つのパルス信号の周波数、および
前記少なくとも１つのパルス信号の帯域幅。
［C43］以前に受信したパルス信号の少なくとも１つの特徴に基づいて前記少なくとも１つの閾値を定義するための手段をさらに具備する、C41に記載の装置。
［C44］前記少なくとも１つの閾値が、以下のものを具備する、C43に記載の装置：
前記以前に受信したパルス信号の前記少なくとも１つの特徴の平均、
前記以前に受信したパルス信号の前記少なくとも１つの特徴の一定時間枠内の中間、
前記以前に受信したパルス信号の前記少なくとも１つの特徴の加重平均、または
前記以前に受信したパルス信号の前記少なくとも１つの特徴のメジアン。
［C45］前記以前に受信したパルス信号の前記少なくとも１つの特徴が、以下のものからなるグループのうちの少なくとも１つに関係する、C43に記載の装置：
前記以前に受信したパルス信号の信号強度、
前記以前に受信したパルス信号の振幅、
前記以前に受信したパルス信号の位相、
前記以前に受信したパルス信号の周波数、および、
前記以前に受信したパルス信号の帯域幅。
［C46］パケットの受信の成功に基づいて前記少なくとも１つの閾値を定義するための手段をさらに具備する、C41に記載の装置。
［C47］前記少なくとも１つの閾値を反復的に適合させるための手段をさらに具備する、C41に記載の装置。
［C48］前記比較が、前記少なくとも１つのパルス信号の前記少なくとも１つの特徴が前記少なくとも１つの閾値以上であるかどうか決定することを具備する、C41に記載の装置。
［C49］前記比較が、前記少なくとも１つのパルス信号の前記少なくとも１つの特徴が前記少なくとも１つの閾値以下であるかどうか決定することを具備する、C41に記載の装置。
［C50］前記比較が、以下のものに基づいているC41に記載の装置：
前記少なくとも１つのパルス信号の前記少なくとも１つの特徴の無限インパルス応答のフィルタリングされた値、または、
前記少なくとも１つのパルス信号の前記少なくとも１つの特徴の有限インパルス応答のフィルタリングされた値。
［C51］前記少なくとも１つのイレージャが、畳み込み符号のためのビタビ決定メトリックスを具備する、C41に記載の装置。
［C52］前記受信した少なくとも１つのパルス信号を少なくとも１つのイレージャとして前記指定することが、他の少なくとも１つのパルス信号と前記少なくとも１つの閾値との少なくとも１つの以前の比較に基づいている、C41に記載の装置。
［C53］前記少なくとも１つのパルス信号が、少なくとも１つのパルス位置変調信号を具備する、C41に記載の装置。
［C54］前記比較が、前記少なくとも１つの閾値を、前記少なくとも１つのパルス位置変調信号のために定義される少なくとも１つのパルス位置において検出されるエネルギーと比較することを具備する、C53に記載の装置。
［C55］前記少なくとも１つのパルス位置変調信号について定義された異なるパルス位置において検出されるエネルギーレベルを合計するための手段をさらに具備する、C53に記載の装置であって、
前記比較が、前記合計されたエネルギーレベルを前記少なくとも１つの閾値と比較することを具備する、C53に記載の装置。
［C56］前記少なくとも１つのパルス信号が、複数のパルス信号を具備する、C41に記載の装置。
［C57］前記パルス信号を少なくとも１つのイレージャとして前記指定することが、前記パルス信号の各々の少なくとも１つの特徴が前記少なくとも１つの閾値以上であるかどうかに基づいている、C56に記載の装置。
［C58］前記パルス信号を少なくとも１つのイレージャとして前記指定することが、前記パルス信号の各々の少なくとも１つの特徴が前記少なくとも１つの閾値以下であるかどうかに基づいている、C56に記載の装置。
［C59］前記比較が、前記パルス信号の前記少なくとも１つの特徴の合計を前記少なくとも１つの閾値と比較することを具備する、C56に記載の装置。
［C60］前記少なくとも１つのパルス信号が、少なくとも１つの超広帯域パルスを具備し、および
前記少なくとも１つの超広帯域パルスが、20％以上のオーダーの比帯域幅を持っているか、500MHｚ以上のオーダーの帯域幅を持っているか、または20％以上のオーダーの比帯域幅および500MHｚ以上のオーダーの帯域幅を持っている、
C41に記載の装置。
［C61］少なくとも１つのパルス信号を受信することと、
前記少なくとも１つのパルス信号の少なくとも１つの特徴を少なくとも１つの閾値と比較することと、および
前記比較に基づいて前記少なくとも１つのパルス信号を少なくとも１つのイレージャとして指定することと
を少なくとも１つのコンピュータによって実行可能とするコードを具備するコンピュータ可読媒体を具備するイレージャ検出のためのコンピュータ・プログラム・プロダクト。
［C62］少なくとも１つのパルス信号を受信するように構成されている受信器と、
前記少なくとも１つのパルス信号の少なくとも１つの特徴を少なくとも１つの閾値と比較するように構成され、かつ前記比較に基づいて前記少なくとも１つのパルス信号を前記少なくとも１つのイレージャとして指定するようにさらに構成されているイレージャ検出器と、および
前記受信器を介して受信されたデータに基づいて音声出力を提供するように構成されている変換器と
を具備するヘッドセット。
［C63］少なくとも１つのパルス信号を受信するように構成されている受信器と、
前記少なくとも１つのパルス信号の少なくとも１つの特徴を少なくとも１つの閾値と比較するように構成され、かつ前記比較に基づいて前記少なくとも１つのパルス信号を前記少なくとも１つのイレージャとして指定するようにさらに構成されているイレージャ検出器と、および
前記受信器を介して受信されたデータに基づいて表示を提供するように構成されているユーザー・インターフェースと
を具備する時計。
［C64］ワイヤレス通信用の感知装置であって、
アンテナと、
前記アンテナを介して少なくとも１つのパルス信号を受信するように構成されている受信器と、
前記少なくとも１つのパルス信号の少なくとも１つの特徴を少なくとも１つの閾値と比較するように構成され、かつ前記比較に基づいて前記少なくとも１つのパルス信号を前記少なくとも１つのイレージャとして指定するようにさらに構成されているイレージャ検出器と、および
前記アンテナによって送信されるべきデータを提供するように構成されている感知器と
を具備する装置。
【国際調査報告】
2010541373.tif 000014
2010541373.tif 000015
2010541373.tif 000016